(57)【要約】【課題】ユーザに通知することなく、電気機器の運転設定が変更されることを防止することができる遠隔制御システム、遠隔制御方法、遠隔制御プログラム及び電気機器を提供する。【解決手段】フィードバック判定部３２２は、運転設定変更時刻以後に、運転設定が変更されたことを通信端末３００がユーザへ通知可能な状態であるか否かを判定し、通信部３７０は、判定結果が通知可能な状態であることを示す場合、運転設定が変更されたことを示す変更通知情報を電気機器１００から受信し、表示部３６０は、変更通知情報が受信されると、運転設定が変更されたことをユーザへ通知する。【選択図】図２
2018201079.tif 000002
【特許請求の範囲】
【請求項１】
電気機器と、前記電気機器とネットワークを介して通信可能に接続された通信端末とを備える遠隔制御システムであって、
前記電気機器は、
前記電気機器の運転を制御する運転制御部と、
前記運転制御部の運転設定を変更する時刻である運転設定変更時刻と、前記運転設定の変更内容とを含む予約情報を記憶する予約情報記憶部と、
前記予約情報を管理する予約管理部と、
前記通信端末によって送信された前記予約情報を受信し、前記予約情報記憶部に記憶する第１の通信部と、
を備え、
前記通信端末は、
ユーザから前記予約情報の入力を受け付ける第１の操作部と、
前記予約情報を前記電気機器へ送信する第２の通信部と、
前記電気機器の前記運転設定が変更されたことを前記ユーザへ通知するフィードバック通知部と、
前記運転設定変更時刻以後に、前記運転設定が変更されたことを前記通信端末が前記ユーザへ通知可能な状態であるか否かを判定するフィードバック判定部と、
を備え、
前記第２の通信部は、前記フィードバック判定部の判定結果を前記電気機器へ送信し、
前記第１の通信部は、前記第２の通信部によって送信された前記判定結果を受信し、
前記判定結果が通知可能な状態であることを示す場合、前記運転制御部は、前記変更内容に従って前記運転設定を変更し、
前記第１の通信部は、前記運転設定が変更されたことを示す変更通知情報を前記通信端末へ送信し、
前記第２の通信部は、前記第１の通信部によって送信された前記変更通知情報を受信し、
前記フィードバック通知部は、前記変更通知情報が受信されると、前記運転設定が変更されたことを前記ユーザへ通知する、
遠隔制御システム。
【請求項２】
前記予約管理部は、前記予約情報記憶部に記憶されている前記運転設定変更時刻になった場合、前記運転設定変更時刻が前記通信端末から受信されたものであるか否かを判断し、
前記運転設定変更時刻が前記通信端末から受信されたものであると判断された場合、前記第１の通信部は、前記運転設定が変更されたことを前記通信端末が前記ユーザへ通知可能であるか否かを問い合わせるための問い合わせ情報を前記通信端末へ送信し、
前記第２の通信部は、前記第１の通信部によって送信された前記問い合わせ情報を受信し、
前記フィードバック判定部は、前記問い合わせ情報が受信されると、前記運転設定が変更されたことを前記通信端末が前記ユーザへ通知可能な状態であるか否かを判定する、
請求項１記載の遠隔制御システム。
【請求項３】
前記フィードバック判定部は、前記通信端末が受信した情報を自動的に通知する機能の使用が前記ユーザによって許可されていた場合に、前記通信端末が通知可能な状態であると判定する、
請求項１記載の遠隔制御システム。
【請求項４】
前記フィードバック判定部は、前記通信端末の入力操作を制限するロック画面において前記通信端末が受信した情報を自動的に通知する機能の使用が前記ユーザによって許可されていた場合に、前記通信端末が通知可能な状態であると判定する、
請求項３記載の遠隔制御システム。
【請求項５】
前記フィードバック判定部は、前記通信端末が省電力状態であり、且つ前記通信端末が受信した情報を自動的に通知する機能の使用が前記ユーザによって許可されていた場合に、前記通信端末が通知可能な状態であると判定する、
請求項３記載の遠隔制御システム。
【請求項６】
前記フィードバック判定部は、前記運転設定変更時刻になった際に前記電気機器の運転設定が変更されたことをユーザへ通知するためのアプリケーションプログラムに対して、前記通信端末が受信した情報を自動的に通知する機能の使用が前記ユーザによって許可されていた場合に、前記通信端末が通知可能な状態であると判定する、
請求項３記載の遠隔制御システム。
【請求項７】
前記フィードバック判定部は、前記第１の操作部が前記ユーザによって操作されている場合に、前記通信端末が通知可能な状態であると判定する、
請求項１記載の遠隔制御システム。
【請求項８】
前記通信端末は、
前記通信端末の周囲を撮影する撮影部と、
前記撮影部による撮影で得られた画像に基づいて前記ユーザを認識する画像認識部と、
をさらに備え、
前記フィードバック判定部は、前記画像認識部によって前記ユーザが認識された場合に、前記通信端末が通知可能な状態であると判定する、
請求項１記載の遠隔制御システム。
【請求項９】
前記撮影部は、前記第１の操作部によって前記予約情報の入力が受け付けられる前に、前記ユーザの顔を撮影し、
前記通信端末は、前記撮影部による撮影で得られた顔画像を予め記憶する画像記憶部をさらに備え、
前記画像認識部は、前記撮影部による前記運転設定変更時刻の撮影で得られた前記画像から、前記画像記憶部に予め記憶されている前記顔画像に一致する前記ユーザを認識する、
請求項８記載の遠隔制御システム。
【請求項１０】
前記通信端末は、
前記通信端末の周囲の音声を示す音声情報を取得する音声取得部と、
前記音声取得部によって取得された前記音声情報に基づいて前記ユーザを認識する音声認識部と、
をさらに備え、
前記フィードバック判定部は、前記音声認識部によって前記ユーザが認識された場合に、前記通信端末が通知可能な状態であると判定する、
請求項１記載の遠隔制御システム。
【請求項１１】
前記音声取得部は、前記第１の操作部によって前記予約情報の入力が受け付けられる前に、前記ユーザの音声情報を取得し、
前記通信端末は、前記音声取得部によって取得された前記音声情報を予め記憶する音声記憶部をさらに備え、
前記音声認識部は、前記音声取得部によって前記運転設定変更時刻に取得された前記音声情報から、前記音声記憶部に予め記憶されている前記音声情報に一致する前記ユーザを認識する、
請求項１０記載の遠隔制御システム。
【請求項１２】
前記通信端末は、
前記通信端末に加わった力を示す力学情報を取得するモーションセンサと、
前記モーションセンサによって取得された前記力学情報に基づいて前記ユーザの動きを認識する動き認識部と、
をさらに備え、
前記フィードバック判定部は、前記動き認識部によって前記ユーザの動きが認識された場合に、前記通信端末が通知可能な状態であると判定する、
請求項１記載の遠隔制御システム。
【請求項１３】
前記モーションセンサは、前記第１の操作部によって前記予約情報の入力が受け付けられる前に、前記ユーザの所定の動きを示す基準力学情報を取得し、
前記通信端末は、前記モーションセンサによって取得された前記基準力学情報を予め記憶する動き記憶部をさらに備え、
前記動き認識部は、前記モーションセンサによって前記運転設定変更時刻に取得された前記力学情報から、前記動き記憶部に予め記憶されている前記基準力学情報に一致する前記ユーザの動きを認識する、
請求項１２記載の遠隔制御システム。
【請求項１４】
前記予約情報は、前記運転制御部の運転設定を変更する時刻である第１の運転設定変更時刻と、前記運転設定の変更内容とを含む第１の予約情報と、前記運転制御部の運転設定を変更する時刻である第２の運転設定変更時刻と、前記運転設定の変更内容とを含む第２の予約情報とを含み、
前記第１の操作部は、前記第１の予約情報の入力を受け付け、
前記第２の通信部は、前記第１の予約情報を前記電気機器へ送信し、
前記第１の通信部は、前記通信端末によって送信された前記第１の予約情報を受信し、
前記電気機器は、前記第２の予約情報の入力を受け付け、前記第２の予約情報を前記予約情報記憶部に記憶する第２の操作部をさらに備え、
前記予約管理部は、前記第２の操作部によって前記第２の予約情報が入力された後に、前記第１の通信部によって前記第１の予約情報が受信され、前記第１の予約情報に含まれる前記第１の運転設定変更時刻が、前記第２の予約情報に含まれる前記第２の運転設定変更時刻よりも早い場合は、前記第２の予約情報に加えて前記第１の予約情報を前記予約情報記憶部に記憶し、
前記フィードバック判定部は、前記第１の運転設定変更時刻になり、前記問い合わせ情報が受信されると、前記運転設定が変更されたことを前記通信端末が前記ユーザへ通知可能な状態であるか否かを判定し、
前記運転制御部は、前記第２の運転設定変更時刻になった場合、前記変更内容に従って前記運転設定を変更する、
請求項２記載の遠隔制御システム。
【請求項１５】
前記予約管理部は、前記第１の予約情報に含まれる前記第１の運転設定変更時刻が、前記第２の予約情報に含まれる前記第２の運転設定変更時刻よりも遅い場合は、前記第２の予約情報を破棄して前記第１の予約情報を前記予約情報記憶部に記憶し、
前記フィードバック判定部は、前記第１の運転設定変更時刻になり、前記問い合わせ情報が受信されると、前記運転設定が変更されたことを前記通信端末が前記ユーザへ通知可能な状態であるか否かを判定する、
請求項１４記載の遠隔制御システム。
【請求項１６】
前記予約管理部は、前記通信端末に対して前記問い合わせ情報を送信した後、所定時間経過しても、前記通信端末から通知可能な状態であることを示す前記判定結果が受信されない場合は、前記運転設定変更時刻を前記所定時間経過後の時刻に変更して前記予約情報記憶部に記憶する、
請求項２記載の遠隔制御システム。
【請求項１７】
前記電気機器は、前記ユーザから前記予約情報の入力を受け付け、前記予約情報を前記予約情報記憶部に記憶する第２の操作部をさらに備え、
前記予約情報記憶部に記憶されている前記運転設定変更時刻になった際に、前記運転設定変更時刻が前記第２の操作部によって入力されたものであると判断された場合、又は、前記運転制御部がすでに運転を開始していた場合、前記運転制御部は、前記変更内容に従って前記運転設定を変更し、
前記予約情報記憶部に記憶されている前記運転設定変更時刻になった際に、前記運転設定変更時刻が前記通信端末から受信されたものであると判断され、かつ、前記運転制御部が運転を開始していない場合は、前記第１の通信部は、前記問い合わせ情報を前記通信端末へ送信する、
請求項２記載の遠隔制御システム。
【請求項１８】
電気機器と、前記電気機器とネットワークを介して通信可能に接続された通信端末とを備える遠隔制御システムにおける遠隔制御方法であって、
ユーザから、前記電気機器の運転設定を変更する時刻である運転設定変更時刻と、前記運転設定の変更内容とを含む予約情報の入力を受け付け、
前記運転設定変更時刻を前記電気機器へ送信し、
前記通信端末によって送信された前記予約情報を受信し、受信した前記予約情報を予約情報記憶に記憶し、
前記運転設定変更時刻以後に、前記運転設定が変更されたことを前記通信端末が前記ユーザへ通知可能な状態であるか否かを判定し、
判定結果を前記電気機器へ送信し、
送信された前記判定結果を受信し、
前記判定結果が通知可能な状態であることを示す場合、前記変更内容に従って前記運転設定を変更し、
前記運転設定が変更されたことを示す変更通知情報を前記通信端末へ送信し、
送信された前記変更通知情報を受信し、
前記変更通知情報が受信されると、前記運転設定が変更されたことを前記ユーザへ通知する、
遠隔制御方法。
【請求項１９】
電気機器とネットワークを介して通信可能に接続された通信端末により前記電気機器を遠隔制御する遠隔制御プログラムであって、
前記通信端末が備えるコンピュータを、
ユーザから、前記電気機器の運転設定を変更する時刻である運転設定変更時刻と、前記運転設定の変更内容とを含む予約情報の入力を受け付ける操作部と、
前記予約情報を前記電気機器へ送信する通信部と、
前記電気機器の前記運転設定が変更されたことを前記ユーザへ通知するフィードバック通知部と、
前記運転設定変更時刻以後に、前記運転設定が変更されたことを前記通信端末が前記ユーザへ通知可能な状態であるか否かを判定するフィードバック判定部として機能させ、
前記通信部は、前記フィードバック判定部の判定結果を前記電気機器へ送信し、前記判定結果が通知可能な状態であることを示す場合、前記運転設定が変更されたことを示す変更通知情報を前記電気機器から受信し、
前記フィードバック通知部は、前記変更通知情報が受信されると、前記運転設定が変更されたことを前記ユーザへ通知する、
遠隔制御プログラム。
【請求項２０】
ネットワークを介して通信可能に接続された通信端末により遠隔制御される電気機器であって、
前記電気機器の運転を制御する運転制御部と、
前記運転制御部の運転設定を変更する時刻である運転設定変更時刻と、前記運転設定の変更内容とを含む予約情報を記憶する予約情報記憶部と、
前記予約情報を管理する予約管理部と、
前記通信端末によって送信された前記予約情報を受信し、前記予約情報記憶部に記憶する通信部と、
を備え、
前記通信部は、前記運転設定変更時刻以後に、前記運転設定が変更されたことを前記通信端末が前記ユーザへ通知可能な状態であるか否かを判定した判定結果を前記通信端末から受信し、
前記判定結果が通知可能な状態であることを示す場合、前記運転制御部は、前記変更内容に従って前記運転設定を変更し、
前記通信部は、前記運転設定が変更されたことを示す変更通知情報を前記通信端末へ送信する、
電気機器。
【発明の詳細な説明】
【技術分野】
【０００１】
本開示は、電気機器とネットワークを介して通信可能に接続された通信端末により、電気機器を遠隔制御する遠隔制御システム、遠隔制御方法及び遠隔制御プログラムに関するものである。また、本開示は、ネットワークを介して通信可能に接続された通信端末により遠隔制御される電気機器に関するものである。
【背景技術】
【０００２】
従来、家庭内の空気調和機を通信ネットワークに接続し、携帯電話又はスマートフォンなどの遠隔制御装置を用いて通信ネットワーク経由で家庭内の空気調和機を制御する方法、及び遠隔制御装置からのオンタイマ予約による運転指示があった場合に、上記オンタイマ予約による設定時刻に室内温度が設定温度に到達するように空気負荷を運転させる方法が提案されている（例えば、特許文献１参照）。
【０００３】
なお、遠隔操作の対象となる電気機器の消費電力が大きい場合は、安全性を向上させる観点、又は電気料金を節約する観点から、制御対象となる電気機器から遠隔にいるユーザが、電気機器の運転設定が変更されているか否か、又は電気機器の主要回路の電源が閉路されているか否かを把握できるようにすることが求められている。
【０００４】
このため、従来、ユーザが携帯する操作端末は、電気機器に対して遠隔制御を行った後、電気機器の状態を示す状態信号を電気機器から取得し、状態信号によって示される電気機器の状態を表示部に自動的に表示することで、ユーザが操作結果を確認することができる方法が提案されている（例えば、特許文献２参照）。
【先行技術文献】
【特許文献】
【０００５】
【特許文献１】特開２００４−１７６９３６号公報
【特許文献２】特開２０１４−２１６９４２号公報
【発明の概要】
【発明が解決しようとする課題】
【０００６】
しかしながら、上記従来の技術では、通信の途絶により、通信端末を用いて電気機器の状態をユーザが把握することが困難であるにもかかわらず、電気機器の運転設定が変更されるおそれがあり、更なる改善が必要とされていた。
【０００７】
本開示は、上記の問題を解決するためになされたもので、ユーザに通知することなく、電気機器の運転設定が変更されることを防止することができる遠隔制御システム、遠隔制御方法、遠隔制御プログラム及び電気機器を提供することを目的とするものである。
【課題を解決するための手段】
【０００８】
本開示の一態様に係る遠隔制御システムは、電気機器と、前記電気機器とネットワークを介して通信可能に接続された通信端末とを備える遠隔制御システムであって、前記電気機器は、前記電気機器の運転を制御する運転制御部と、前記運転制御部の運転設定を変更する時刻である運転設定変更時刻と、前記運転設定の変更内容とを含む予約情報を記憶する予約情報記憶部と、前記予約情報を管理する予約管理部と、前記通信端末によって送信された前記予約情報を受信し、前記予約情報記憶部に記憶する第１の通信部と、を備え、前記通信端末は、ユーザから前記予約情報の入力を受け付ける第１の操作部と、前記予約情報を前記電気機器へ送信する第２の通信部と、前記電気機器の前記運転設定が変更されたことを前記ユーザへ通知するフィードバック通知部と、前記運転設定変更時刻以後に、前記運転設定が変更されたことを前記通信端末が前記ユーザへ通知可能な状態であるか否かを判定するフィードバック判定部と、を備え、前記第２の通信部は、前記フィードバック判定部の判定結果を前記電気機器へ送信し、前記第１の通信部は、前記第２の通信部によって送信された前記判定結果を受信し、前記判定結果が通知可能な状態であることを示す場合、前記運転制御部は、前記変更内容に従って前記運転設定を変更し、前記第１の通信部は、前記運転設定が変更されたことを示す変更通知情報を前記通信端末へ送信し、前記第２の通信部は、前記第１の通信部によって送信された前記変更通知情報を受信し、前記フィードバック通知部は、前記変更通知情報が受信されると、前記運転設定が変更されたことを前記ユーザへ通知する。
【発明の効果】
【０００９】
本開示によれば、ユーザに通知することなく、電気機器の運転設定が変更されることを防止することができる。
【図面の簡単な説明】
【００１０】
【図１】本開示の実施の形態１における遠隔制御システムの概略構成を示す図である。
【図２】本開示の実施の形態１における通信端末の構成を示す図である。
【図３】本開示の実施の形態１における電気機器の構成を示す図である。
【図４】遠隔制御対象である電気機器を選択させる情報を示す機器選択画面の一例を示す図である。
【図５】遠隔制御対象である電気機器の運転設定を入力させる情報を示す予約設定画面の一例を示す図である。
【図６】遠隔制御対象である電気機器の運転設定を確認させる情報を示す確認画面の一例を示す図である。
【図７】遠隔制御対象である電気機器の運転設定の予約を完了させる情報を示す予約完了画面の一例を示す図である
【図８】遠隔制御対象である電気機器の運転設定が変更されたことを通知する情報を示す運転変更通知画面の一例を示す図である。
【図９】遠隔制御対象である電気機器の運転設定が変更されたことを通知する情報を示す運転変更通知画面の他の例を示す図である。
【図１０】本開示の実施の形態１において、遠隔制御システムの通信端末による予約処理を説明するためのフローチャートである。
【図１１】本開示の実施の形態１において、遠隔制御システムの電気機器による予約処理を説明するためのフローチャートである。
【図１２】本開示の実施の形態１において、遠隔制御システムによる予約実行処理を説明するための第１のフローチャートである。
【図１３】本開示の実施の形態１において、遠隔制御システムによる予約実行処理を説明するための第２のフローチャートである。
【図１４】運転設定が変更されなかったことを通知するための運転失敗通知画面の一例を示す図である。
【図１５】電気機器を遠隔操作するための運転設定画面の一例を示す図である。
【図１６】電気機器の運転設定が変更されたことをフィードバック通知できないことを示すフィードバック通知不可画面の一例を示す図である。
【図１７】本開示の実施の形態１において、図１３のステップＳ６２におけるフィードバック通知判定処理について説明するためのフローチャートである。
【図１８】本開示の実施の形態２において、図１３のステップＳ６２におけるフィードバック通知判定処理について説明するためのフローチャートである。
【図１９】本開示の実施の形態３における通信端末の構成を示す図である。
【図２０】本開示の実施の形態３において、図１３のステップＳ６２におけるフィードバック通知判定処理について説明するためのフローチャートである。
【図２１】本開示の実施の形態４において、遠隔制御システムの通信端末による予約処理を説明するためのフローチャートである。
【発明を実施するための形態】
【００１１】
（本開示の基礎となった知見）
上記従来の技術では、ユーザが通信端末を用いて直ちに電気機器の運転設定を遠隔操作により変更する場合は、通信端末と電気機器との通信が確立されているため、遠隔制御を行った後の電気機器の状態が通信端末に送信され、ユーザは操作結果を確認することができる。しかしながら、上記従来の技術では、直ちに運転設定を変更させたくない場合、すわなち、ユーザが電気機器の運転設定変更時刻を遠隔操作にて予約する場合に問題があった。
【００１２】
例えば、ユーザが通信端末を用いて電気機器の予約操作を行った時点では、通信端末と電気機器との通信が確立していたとしても、その後、予約した運転設定変更時刻になった時点では、通信端末と電気機器との通信が途絶する場合が考えられる。
【００１３】
その場合、通信の途絶により、通信端末を用いて電気機器の状態をユーザが把握することが困難であるにもかかわらず、電気機器の運転設定が変更されてしまうという問題があった。
【００１４】
以上の課題を解決するために、本開示の一態様に係る遠隔制御システムは、電気機器と、前記電気機器とネットワークを介して通信可能に接続された通信端末とを備える遠隔制御システムであって、前記電気機器は、前記電気機器の運転を制御する運転制御部と、前記運転制御部の運転設定を変更する時刻である運転設定変更時刻と、前記運転設定の変更内容とを含む予約情報を記憶する予約情報記憶部と、前記予約情報を管理する予約管理部と、前記通信端末によって送信された前記予約情報を受信し、前記予約情報記憶部に記憶する第１の通信部と、を備え、前記通信端末は、ユーザから前記予約情報の入力を受け付ける第１の操作部と、前記予約情報を前記電気機器へ送信する第２の通信部と、前記電気機器の前記運転設定が変更されたことを前記ユーザへ通知するフィードバック通知部と、前記運転設定変更時刻以後に、前記運転設定が変更されたことを前記通信端末が前記ユーザへ通知可能な状態であるか否かを判定するフィードバック判定部と、を備え、前記第２の通信部は、前記フィードバック判定部の判定結果を前記電気機器へ送信し、前記第１の通信部は、前記第２の通信部によって送信された前記判定結果を受信し、前記判定結果が通知可能な状態であることを示す場合、前記運転制御部は、前記変更内容に従って前記運転設定を変更し、前記第１の通信部は、前記運転設定が変更されたことを示す変更通知情報を前記通信端末へ送信し、前記第２の通信部は、前記第１の通信部によって送信された前記変更通知情報を受信し、前記フィードバック通知部は、前記変更通知情報が受信されると、前記運転設定が変更されたことを前記ユーザへ通知する。
【００１５】
この構成によれば、ユーザから、電気機器の運転設定を変更する時刻である運転設定変更時刻と、運転設定の変更内容とを含む予約情報の入力が受け付けられる。運転設定変更時刻が電気機器へ送信される。通信端末によって送信された予約情報が受信される。受信された予約情報が予約情報記憶部に記憶される。運転設定変更時刻以後に、運転設定が変更されたことを通信端末がユーザへ通知可能な状態であるか否かが判定される。判定結果が電気機器へ送信される。電気機器において、送信された判定結果が受信される。判定結果が通知可能な状態であることを示す場合、変更内容に従って運転設定が変更される。運転設定が変更されたことを示す変更通知情報が通信端末へ送信される。通信端末において、送信された変更通知情報が受信される。変更通知情報が受信されると、運転設定が変更されたことがユーザへ通知される。
【００１６】
したがって、電気機器の運転設定を変更する運転設定変更時刻以後に、電気機器の運転設定が変更されたことを通信端末がユーザへ通知可能な状態であるか否かが判定され、判定結果が通知可能な状態であることを示す場合、変更内容に従って電気機器の運転設定が変更され、運転設定が変更されたことがユーザへ通知されるので、ユーザに通知することなく、電気機器の運転設定が変更されることを防止することができる。
【００１７】
また、上記の遠隔制御システムにおいて、前記予約管理部は、前記予約情報記憶部に記憶されている前記運転設定変更時刻になった場合、前記運転設定変更時刻が前記通信端末から受信されたものであるか否かを判断し、前記運転設定変更時刻が前記通信端末から受信されたものであると判断された場合、前記第１の通信部は、前記運転設定が変更されたことを前記通信端末が前記ユーザへ通知可能であるか否かを問い合わせるための問い合わせ情報を前記通信端末へ送信し、前記第２の通信部は、前記第１の通信部によって送信された前記問い合わせ情報を受信し、前記フィードバック判定部は、前記問い合わせ情報が受信されると、前記運転設定が変更されたことを前記通信端末が前記ユーザへ通知可能な状態であるか否かを判定してもよい。
【００１８】
この構成によれば、電気機器において、予約情報記憶部に記憶されている運転設定変更時刻になった場合、運転設定変更時刻が通信端末から受信されたものであるか否かが判断される。運転設定変更時刻が通信端末から受信されたものであると判断された場合、運転設定が変更されたことを通信端末がユーザへ通知可能であるか否かを問い合わせるための問い合わせ情報が通信端末へ送信される。通信端末において、送信された問い合わせ情報が受信される。問い合わせ情報が受信されると、運転設定が変更されたことを通信端末がユーザへ通知可能な状態であるか否かが判定される。
【００１９】
したがって、運転設定変更時刻が通信端末から受信されたものであり、かつ運転設定変更時刻になった場合に、運転設定が変更されたことを通信端末がユーザへ通知可能な状態であるか否かを判定することができる。
【００２０】
また、上記の遠隔制御システムにおいて、前記フィードバック判定部は、前記通信端末が受信した情報を自動的に通知する機能の使用が前記ユーザによって許可されていた場合に、前記通信端末が通知可能な状態であると判定してもよい。
【００２１】
この構成によれば、通信端末が受信した情報を自動的に通知する機能の使用がユーザによって許可されていた場合に、電気機器の運転設定が変更されたことをユーザへ通知することができる。
【００２２】
また、上記の遠隔制御システムにおいて、前記フィードバック判定部は、前記通信端末の入力操作を制限するロック画面において前記通信端末が受信した情報を自動的に通知する機能の使用が前記ユーザによって許可されていた場合に、前記通信端末が通知可能な状態であると判定してもよい。
【００２３】
この構成によれば、通信端末の入力操作を制限するロック画面において通信端末が受信した情報を自動的に通知する機能の使用がユーザによって許可されていた場合に、電気機器の運転設定が変更されたことをユーザへ通知することができる。
【００２４】
また、上記の遠隔制御システムにおいて、前記フィードバック判定部は、前記通信端末が省電力状態であり、且つ前記通信端末が受信した情報を自動的に通知する機能の使用が前記ユーザによって許可されていた場合に、前記通信端末が通知可能な状態であると判定してもよい。
【００２５】
この構成によれば、通信端末が省電力状態であり、且つ通信端末が受信した情報を自動的に通知する機能の使用がユーザによって許可されていた場合に、電気機器の運転設定が変更されたことをユーザへ通知することができる。
【００２６】
また、上記の遠隔制御システムにおいて、前記フィードバック判定部は、前記運転設定変更時刻になった際に前記電気機器の運転設定が変更されたことをユーザへ通知するためのアプリケーションプログラムに対して、前記通信端末が受信した情報を自動的に通知する機能の使用が前記ユーザによって許可されていた場合に、前記通信端末が通知可能な状態であると判定してもよい。
【００２７】
この構成によれば、運転設定変更時刻になった際に電気機器の運転設定が変更されたことをユーザへ通知するためのアプリケーションプログラムに対して、通信端末が受信した情報を自動的に通知する機能の使用がユーザによって許可されていた場合に、電気機器の運転設定が変更されたことをユーザへ通知することができる。
【００２８】
また、上記の遠隔制御システムにおいて、前記フィードバック判定部は、前記第１の操作部が前記ユーザによって操作されている場合に、前記通信端末が通知可能な状態であると判定してもよい。
【００２９】
この構成によれば、ユーザによって通信端末が操作されている場合に、電気機器の運転設定が変更されたことをユーザへ通知することができる。
【００３０】
また、上記の遠隔制御システムにおいて、前記通信端末は、前記通信端末の周囲を撮影する撮影部と、前記撮影部による撮影で得られた画像に基づいて前記ユーザを認識する画像認識部と、をさらに備え、前記フィードバック判定部は、前記画像認識部によって前記ユーザが認識された場合に、前記通信端末が通知可能な状態であると判定してもよい。
【００３１】
この構成によれば、通信端末の周囲を撮影した画像に基づいてユーザが認識された場合に、電気機器の運転設定が変更されたことをユーザへ通知することができる。
【００３２】
また、上記の遠隔制御システムにおいて、前記撮影部は、前記第１の操作部によって前記予約情報の入力が受け付けられる前に、前記ユーザの顔を撮影し、前記通信端末は、前記撮影部による撮影で得られた顔画像を予め記憶する画像記憶部をさらに備え、前記画像認識部は、前記撮影部による前記運転設定変更時刻の撮影で得られた前記画像から、前記画像記憶部に予め記憶されている前記顔画像に一致する前記ユーザを認識してもよい。
【００３３】
この構成によれば、予約情報の入力が受け付けられる前に、ユーザの顔が撮影される。通信端末の画像記憶部は、撮影で得られた顔画像を予め記憶する。運転設定変更時刻の撮影で得られた画像から、画像記憶部に予め記憶されている顔画像に一致するユーザが認識される。
【００３４】
したがって、運転設定変更時刻に撮影された画像から、予め記憶されているユーザの顔画像に一致するユーザを認識することができ、予約情報を入力したユーザに対して運転設定が変更されたことを確実に通知することができる。
【００３５】
また、上記の遠隔制御システムにおいて、前記通信端末は、前記通信端末の周囲の音声を示す音声情報を取得する音声取得部と、前記音声取得部によって取得された前記音声情報に基づいて前記ユーザを認識する音声認識部と、をさらに備え、前記フィードバック判定部は、前記音声認識部によって前記ユーザが認識された場合に、前記通信端末が通知可能な状態であると判定してもよい。
【００３６】
この構成によれば、通信端末の周囲の音声を示す音声情報に基づいてユーザが認識された場合に、電気機器の運転設定が変更されたことをユーザへ通知することができる。
【００３７】
また、上記の遠隔制御システムにおいて、前記音声取得部は、前記第１の操作部によって前記予約情報の入力が受け付けられる前に、前記ユーザの音声情報を取得し、前記通信端末は、前記音声取得部によって取得された前記音声情報を予め記憶する音声記憶部をさらに備え、前記音声認識部は、前記音声取得部によって前記運転設定変更時刻に取得された前記音声情報から、前記音声記憶部に予め記憶されている前記音声情報に一致する前記ユーザを認識してもよい。
【００３８】
この構成によれば、予約情報の入力が受け付けられる前に、ユーザの音声を示す音声情報が取得される。通信端末の音声記憶部は、取得された音声情報を予め記憶する。運転設定変更時刻に取得された音声情報から、音声記憶部に予め記憶されている音声情報に一致するユーザが認識される。
【００３９】
したがって、運転設定変更時刻に取得された音声情報から、予め記憶されているユーザの音声情報に一致するユーザを認識することができ、予約情報を入力したユーザに対して運転設定が変更されたことを確実に通知することができる。
【００４０】
また、上記の遠隔制御システムにおいて、前記通信端末は、前記通信端末に加わった力を示す力学情報を取得するモーションセンサと、前記モーションセンサによって取得された前記力学情報に基づいて前記ユーザの動きを認識する動き認識部と、をさらに備え、前記フィードバック判定部は、前記動き認識部によって前記ユーザの動きが認識された場合に、前記通信端末が通知可能な状態であると判定してもよい。
【００４１】
この構成によれば、通信端末に加わった力を示す力学情報に基づいてユーザの動きが認識された場合に、電気機器の運転設定が変更されたことをユーザへ通知することができる。
【００４２】
また、上記の遠隔制御システムにおいて、前記モーションセンサは、前記第１の操作部によって前記予約情報の入力が受け付けられる前に、前記ユーザの所定の動きを示す基準力学情報を取得し、前記通信端末は、前記モーションセンサによって取得された前記基準力学情報を予め記憶する動き記憶部をさらに備え、前記動き認識部は、前記モーションセンサによって前記運転設定変更時刻に取得された前記力学情報から、前記動き記憶部に予め記憶されている前記基準力学情報に一致する前記ユーザの動きを認識してもよい。
【００４３】
この構成によれば、予約情報の入力が受け付けられる前に、ユーザの所定の動きを示す基準力学情報が取得される。通信端末の動き記憶部は、取得された基準力学情報を予め記憶する。運転設定変更時刻に取得された力学情報から、動き記憶部に予め記憶されている基準力学情報に一致するユーザの動きが認識される。
【００４４】
したがって、運転設定変更時刻に取得されたユーザの所定の動きを示す力学情報から、予め記憶されているユーザの所定の動きを示す基準力学情報に一致するユーザの動きを認識することができ、予約情報を入力したユーザに対して運転設定が変更されたことを確実に通知することができる。
【００４５】
また、上記の遠隔制御システムにおいて、前記予約情報は、前記運転制御部の運転設定を変更する時刻である第１の運転設定変更時刻と、前記運転設定の変更内容とを含む第１の予約情報と、前記運転制御部の運転設定を変更する時刻である第２の運転設定変更時刻と、前記運転設定の変更内容とを含む第２の予約情報とを含み、前記第１の操作部は、前記第１の予約情報の入力を受け付け、前記第２の通信部は、前記第１の予約情報を前記電気機器へ送信し、前記第１の通信部は、前記通信端末によって送信された前記第１の予約情報を受信し、前記電気機器は、前記第２の予約情報の入力を受け付け、前記第２の予約情報を前記予約情報記憶部に記憶する第２の操作部をさらに備え、前記予約管理部は、前記第２の操作部によって前記第２の予約情報が入力された後に、前記第１の通信部によって前記第１の予約情報が受信され、前記第１の予約情報に含まれる前記第１の運転設定変更時刻が、前記第２の予約情報に含まれる前記第２の運転設定変更時刻よりも早い場合は、前記第２の予約情報に加えて前記第１の予約情報を前記予約情報記憶部に記憶し、前記フィードバック判定部は、前記第１の運転設定変更時刻になり、前記問い合わせ情報が受信されると、前記運転設定が変更されたことを前記通信端末が前記ユーザへ通知可能な状態であるか否かを判定し、前記運転制御部は、前記第２の運転設定変更時刻になった場合、前記変更内容に従って前記運転設定を変更してもよい。
【００４６】
この構成によれば、予約情報は、運転制御部の運転設定を変更する時刻である第１の運転設定変更時刻と、運転設定の変更内容とを含む第１の予約情報と、運転制御部の運転設定を変更する時刻である第２の運転設定変更時刻と、運転設定の変更内容とを含む第２の予約情報とを含む。通信端末において、第１の予約情報の入力が受け付けられる。第１の予約情報が電気機器へ送信される。電気機器において、通信端末によって送信された第１の予約情報が受信される。また、電気機器において、第２の予約情報の入力が受け付けられる。第２の予約情報が予約情報記憶部に記憶される。第２の予約情報が入力された後に、第１の予約情報が受信され、第１の予約情報に含まれる第１の運転設定変更時刻が、第２の予約情報に含まれる第２の運転設定変更時刻よりも早い場合は、第２の予約情報に加えて第１の予約情報が予約情報記憶部に記憶される。第１の運転設定変更時刻になり、問い合わせ情報が受信されると、運転設定が変更されたことを通信端末がユーザへ通知可能な状態であるか否かが判定される。その後、第２の運転設定変更時刻になった場合、変更内容に従って運転設定が変更される。
【００４７】
したがって、第１の運転設定変更時刻において、運転設定が変更されたことをユーザへ通知不可能な状態であり、電気機器の運転設定が変更されなかったとしても、第２の運転設定変更時刻において、電気機器の運転設定を変更することができる。
【００４８】
また、上記の遠隔制御システムにおいて、前記予約管理部は、前記第１の予約情報に含まれる前記第１の運転設定変更時刻が、前記第２の予約情報に含まれる前記第２の運転設定変更時刻よりも遅い場合は、前記第２の予約情報を破棄して前記第１の予約情報を前記予約情報記憶部に記憶し、前記フィードバック判定部は、前記第１の運転設定変更時刻になり、前記問い合わせ情報が受信されると、前記運転設定が変更されたことを前記通信端末が前記ユーザへ通知可能な状態であるか否かを判定してもよい。
【００４９】
この構成によれば、第１の予約情報に含まれる第１の運転設定変更時刻が、第２の予約情報に含まれる第２の運転設定変更時刻よりも遅い場合は、第２の予約情報が破棄されて第１の予約情報が予約情報記憶部に記憶される。第１の運転設定変更時刻になり、問い合わせ情報が受信されると、運転設定が変更されたことを通信端末がユーザへ通知可能な状態であるか否かが判定される。
【００５０】
したがって、通信端末を用いて入力された第１の予約情報に含まれる第１の運転設定変更時刻が、電気機器を用いて入力された第２の予約情報に含まれる第２の運転設定変更時刻よりも遅い場合は、第２の運転設定変更時刻よりも第１の運転設定変更時刻が優先されるので、第２の予約情報よりも後に入力された第１の予約情報に含まれる変更内容に従って電気機器の運転設定を変更することができる。
【００５１】
また、上記の遠隔制御システムにおいて、前記予約管理部は、前記通信端末に対して前記問い合わせ情報を送信した後、所定時間経過しても、前記通信端末から通知可能な状態であることを示す前記判定結果が受信されない場合は、前記運転設定変更時刻を前記所定時間経過後の時刻に変更して前記予約情報記憶部に記憶してもよい。
【００５２】
この構成によれば、通信端末に対して問い合わせ情報が送信された後、所定時間経過しても、通信端末から通知可能な状態であることを示す判定結果が受信されない場合は、運転設定変更時刻を所定時間経過後の時刻に変更して予約情報記憶部に記憶してもよい。
【００５３】
したがって、運転設定変更時刻において、通信端末から通知可能な状態であることを示す判定結果が受信されない場合であっても、運転設定変更時刻から所定時間経過後において、通信端末に対して問い合わせ情報が再度送信され、通信端末から通知可能な状態であることを示す判定結果が受信される可能性があり、運転設定変更時刻から所定時間経過後に電気機器の運転設定を変更することができる。
【００５４】
また、上記の遠隔制御システムにおいて、前記電気機器は、前記ユーザから前記予約情報の入力を受け付け、前記予約情報を前記予約情報記憶部に記憶する第２の操作部をさらに備え、前記予約情報記憶部に記憶されている前記運転設定変更時刻になった際に、前記運転設定変更時刻が前記第２の操作部によって入力されたものであると判断された場合、又は、前記運転制御部がすでに運転を開始していた場合、前記運転制御部は、前記変更内容に従って前記運転設定を変更し、前記予約情報記憶部に記憶されている前記運転設定変更時刻になった際に、前記運転設定変更時刻が前記通信端末から受信されたものであると判断され、かつ、前記運転制御部が運転を開始していない場合は、前記第１の通信部は、前記問い合わせ情報を前記通信端末へ送信してもよい。
【００５５】
この構成によれば、電気機器において、ユーザから予約情報の入力が受け付けられ、予約情報が予約情報記憶部に記憶される。予約情報記憶部に記憶されている運転設定変更時刻になった際に、運転設定変更時刻が電気機器において入力されたものであると判断された場合、又は、すでに電気機器の運転が開始されていた場合、変更内容に従って運転設定が変更される。また、予約情報記憶部に記憶されている運転設定変更時刻になった際に、運転設定変更時刻が通信端末から受信されたものであると判断され、かつ、電気機器の運転が開始されていない場合は、問い合わせ情報が通信端末へ送信される。
【００５６】
したがって、運転設定変更時刻が電気機器において入力された場合、又は、運転中において運転設定が変更される場合は、運転設定が変更されたことを通信端末がユーザに通知可能であるか否かに拘わらず、変更内容に従って運転設定を変更することができる。また、運転設定変更時刻が通信端末から受信された場合、かつ、電気機器の運転が開始されていない場合は、運転設定が変更されたことを通信端末がユーザに通知可能である場合に限り、変更内容に従って運転設定を変更することができる。
【００５７】
本開示の他の態様に係る遠隔制御方法は、電気機器と、前記電気機器とネットワークを介して通信可能に接続された通信端末とを備える遠隔制御システムにおける遠隔制御方法であって、ユーザから、前記電気機器の運転設定を変更する時刻である運転設定変更時刻と、前記運転設定の変更内容とを含む予約情報の入力を受け付け、前記運転設定変更時刻を前記電気機器へ送信し、前記通信端末によって送信された前記予約情報を受信し、受信した前記予約情報を予約情報記憶に記憶し、前記運転設定変更時刻以後に、前記運転設定が変更されたことを前記通信端末が前記ユーザへ通知可能な状態であるか否かを判定し、判定結果を前記電気機器へ送信し、送信された前記判定結果を受信し、前記判定結果が通知可能な状態であることを示す場合、前記変更内容に従って前記運転設定を変更し、前記運転設定が変更されたことを示す変更通知情報を前記通信端末へ送信し、送信された前記変更通知情報を受信し、前記変更通知情報が受信されると、前記運転設定が変更されたことを前記ユーザへ通知する。
【００５８】
この構成によれば、ユーザから、電気機器の運転設定を変更する時刻である運転設定変更時刻と、運転設定の変更内容とを含む予約情報の入力が受け付けられる。運転設定変更時刻が電気機器へ送信される。通信端末によって送信された予約情報が受信される。受信された予約情報が予約情報記憶部に記憶される。運転設定変更時刻以後に、運転設定が変更されたことを通信端末がユーザへ通知可能な状態であるか否かが判定される。判定結果が電気機器へ送信される。送信された判定結果が受信される。判定結果が通知可能な状態であることを示す場合、変更内容に従って運転設定が変更される。運転設定が変更されたことを示す変更通知情報が通信端末へ送信される。送信された変更通知情報が受信される。変更通知情報が受信されると、運転設定が変更されたことがユーザへ通知される。
【００５９】
したがって、電気機器の運転設定を変更する運転設定変更時刻以後に、電気機器の運転設定が変更されたことを通信端末がユーザへ通知可能な状態であるか否かが判定され、判定結果が通知可能な状態であることを示す場合、変更内容に従って電気機器の運転設定が変更され、運転設定が変更されたことがユーザへ通知されるので、ユーザに通知することなく、電気機器の運転設定が変更されることを防止することができる。
【００６０】
本開示の他の態様に係る遠隔制御プログラムは、電気機器とネットワークを介して通信可能に接続された通信端末により前記電気機器を遠隔制御する遠隔制御プログラムであって、前記通信端末が備えるコンピュータを、ユーザから、前記電気機器の運転設定を変更する時刻である運転設定変更時刻と、前記運転設定の変更内容とを含む予約情報の入力を受け付ける操作部と、前記予約情報を前記電気機器へ送信する通信部と、前記電気機器の前記運転設定が変更されたことを前記ユーザへ通知するフィードバック通知部と、前記運転設定変更時刻以後に、前記運転設定が変更されたことを前記通信端末が前記ユーザへ通知可能な状態であるか否かを判定するフィードバック判定部として機能させ、前記通信部は、前記フィードバック判定部の判定結果を前記電気機器へ送信するとともに、前記判定結果が通知可能な状態であることを示す場合、前記運転設定が変更されたことを示す変更通知情報を前記電気機器から受信し、前記フィードバック通知部は、前記変更通知情報が受信されると、前記運転設定が変更されたことを前記ユーザへ通知する。
【００６１】
この構成によれば、ユーザから、電気機器の運転設定を変更する時刻である運転設定変更時刻と、運転設定の変更内容とを含む予約情報の入力が受け付けられる。運転設定変更時刻以後に、運転設定が変更されたことを通信端末がユーザへ通知可能な状態であるか否かが判定される。判定結果が電気機器へ送信される。判定結果が通知可能な状態であることを示す場合、運転設定が変更されたことを示す変更通知情報が電気機器から受信される。変更通知情報が受信されると、運転設定が変更されたことがユーザへ通知される。
【００６２】
したがって、電気機器の運転設定を変更する運転設定変更時刻以後に、電気機器の運転設定が変更されたことを通信端末がユーザへ通知可能な状態であるか否かが判定され、判定結果が通知可能な状態であることを示す場合、変更内容に従って電気機器の運転設定が変更され、運転設定が変更されたことがユーザへ通知されるので、ユーザに通知することなく、電気機器の運転設定が変更されることを防止することができる。
【００６３】
本開示の他の態様に係る電気機器は、ネットワークを介して通信可能に接続された通信端末により遠隔制御される電気機器であって、前記電気機器の運転を制御する運転制御部と、前記運転制御部の運転設定を変更する時刻である運転設定変更時刻と、前記運転設定の変更内容とを含む予約情報を記憶する予約情報記憶部と、前記予約情報を管理する予約管理部と、前記通信端末によって送信された前記予約情報を受信し、前記予約情報記憶部に記憶する通信部と、を備え、前記通信部は、前記運転設定変更時刻以後に、前記運転設定が変更されたことを前記通信端末が前記ユーザへ通知可能な状態であるか否かを判定した判定結果を前記通信端末から受信し、前記判定結果が通知可能な状態であることを示す場合、前記運転制御部は、前記変更内容に従って前記運転設定を変更し、前記通信部は、前記運転設定が変更されたことを示す変更通知情報を前記通信端末へ送信する。
【００６４】
この構成によれば、電気機器の運転が制御される。運転設定を変更する時刻である運転設定変更時刻と、運転設定の変更内容とを含む予約情報が予約情報記憶部に記憶される。予約情報が管理される。通信端末によって送信された予約情報が受信され、予約情報記憶部に記憶される。運転設定変更時刻以後に、運転設定が変更されたことを通信端末がユーザへ通知可能な状態であるか否かを判定した判定結果が通信端末から受信される。判定結果が通知可能な状態であることを示す場合、変更内容に従って運転設定が変更される。そして、運転設定が変更されたことを通信端末に通知させるため、運転設定が変更されたことを示す変更通知情報が通信端末へ送信される。
【００６５】
したがって、電気機器の運転設定を変更する運転設定変更時刻以後に、電気機器の運転設定が変更されたことを通信端末がユーザへ通知可能な状態であるか否かが判定され、判定結果が通知可能な状態であることを示す場合、変更内容に従って電気機器の運転設定が変更され、運転設定が変更されたことがユーザへ通知されるので、ユーザに通知することなく、電気機器の運転設定が変更されることを防止することができる。
【００６６】
以下本開示の実施の形態について、図面を参照しながら説明する。なお、以下の実施の形態は、本開示を具体化した一例であって、本開示の技術的範囲を限定するものではない。
【００６７】
（実施の形態１）
（遠隔制御システムの構成）
図１は、本開示の実施の形態１における遠隔制御システムの概略構成を示す図である。
【００６８】
本開示の実施の形態１にかかる遠隔制御システム１の運転設定変更時刻の設定対象となる電気機器としては、空気調和機器を例示する。
【００６９】
また、ここでは、電気機器の運転設定変更時刻の予約操作の一例として、電気機器の運転開始時刻の予約操作を例に説明する。
【００７０】
図１に示すように、遠隔制御システム１は、ユーザの住居５００に設置される電気機器１００と、第１の通信端末３００Ａと、第２の通信端末３００Ｂとを備える。電気機器１００は、通信アダプタ５０に接続される。
【００７１】
なお、図１では、第１の通信端末３００Ａ及び第２の通信端末３００Ｂの２つの通信端末を図示するが、通信端末の個数はこれに限定されるものではない。これらを個別に説明する必要のない場合は、通信端末３００と総称する。
【００７２】
なお、１つの通信端末３００は、通信アダプタ５０を介して、複数の電気機器１００を個別に遠隔制御してもよい。
【００７３】
また、複数の通信端末３００は、１つの通信アダプタ５０に接続された電気機器１００を遠隔制御可能である。
【００７４】
住居５００には、宅内通信ネットワークである無線ＬＡＮ（Ｌｏｃａｌ  Ａｒｅａ  Ｎｅｔｗｏｒｋ）が整備されており、ルータ４１０は、広域通信ネットワーク４２０と、住居内の通信ネットワークとを中継する。
【００７５】
ルータ４１０は、広域通信ネットワーク４２０に接続され、広域通信ネットワーク４２０と住居内の通信ネットワークとを媒介する装置である。
【００７６】
無線ＬＡＮの中継局４００は、ルータ４１０に接続され、情報を無線の電波に変換する装置である。中継局４００は、例えばＷｉ−Ｆｉ（登録商標）アクセスポイントなどの端末である。
【００７７】
本開示の実施の形態１では、無線通信には、無線ＬＡＮ規格の１つであるＩＥＥＥ８０２．１１ａ、ＩＥＥＥ８０２．１１ｂ、ＩＥＥＥ８０２．１１ｇ、ＩＥＥＥ８０２．１１ｎ、又はＩＥＥＥ８０２．１１ａｃを利用する。もちろん、ＩＥＥＥ８０２．１１以外の無線通信方式を利用してもよい。例えば、無線通信は、特定小電力無線、又はＢｌｕｅｔｏｏｔｈ（登録商標）などであってもよい。
【００７８】
なお、ルータ４１０と中継局４００とは、同一の筐体に格納されていてもかまわない。
【００７９】
通信アダプタ５０は、住居５００に設置されており、中継局４００及びルータ４１０を介することで、広域通信ネットワーク４２０に接続された各機器と通信可能となっている。
【００８０】
クラウドサーバ２００は、広域通信ネットワーク４２０に接続されており、広域通信ネットワーク４２０、ルータ４１０、中継局４００及び通信アダプタ５０を介して、電気機器１００と通信可能に接続されている。
【００８１】
またクラウドサーバ２００は、広域通信ネットワーク４２０を介して通信端末３００と通信可能に接続されている。
【００８２】
通信端末３００と広域通信ネットワーク４２０とは、３Ｇ（３ｒｄ  Ｇｅｎｅｒａｔｉｏｎ）、ＬＴＥ（Ｌｏｎｇ  Ｔｅｒｍ  Ｅｖｏｌｕｔｉｏｎ）、住居内又は公衆のＷｉ−Ｆｉアクセスポイントなどを利用して接続される。通信端末３００は、広域通信ネットワーク４２０を介して、通信アダプタ５０が接続された電気機器１００を遠隔制御することができる。
【００８３】
なお、通信アダプタ５０と通信端末３００とはいずれも、無線通信又は有線通信の可能な端末であり、広域通信ネットワーク４２０を介することなく、中継局４００を介して相互に通信することもできる。
【００８４】
なお、広域通信ネットワーク４２０は、例えばインターネットである。また、広域通信ネットワーク４２０は、電話回線網、移動体通信網、光回線網、衛星通信網、又はケーブルテレビの通信網などが利用されてもよい。
【００８５】
本実施の形態１において、電気機器１００は、例えば空気調和機器である。電気機器１００としては、例えば、空気清浄機、加湿器、除湿機、送風機、洗濯機、又は炊飯器等であってもよい。
【００８６】
通信アダプタ５０は、広域通信ネットワーク４２０を介して通信端末３００と情報を通信する電子機器である。なお、通信アダプタ５０は、電気機器１００以外の装置、例えば、冷蔵庫、洗濯機、調理器具、照明装置、給湯機器、撮影機器、各種ＡＶ機器、又は各種ロボット（例えば、掃除ロボット、家事支援ロボット、又は猫型ロボット等の愛玩ロボット）等にも接続でき、通信端末３００と通信することができる。
【００８７】
なお、電気機器１００と通信アダプタ５０とは一体化された構成であってもよい。 
【００８８】
本開示の実施の形態１においては、通信端末３００は、例えばスマートフォンである。つまり、本実施の形態１では、スマートフォンを用いて空気調和機器を遠隔制御する構成について説明する。
【００８９】
（通信端末の構成）
次に、通信端末３００の構成を、図２を参照しながら説明する。
【００９０】
図２は、本開示の実施の形態１における通信端末の構成を示す図である。図２に示すように、通信端末３００は、制御部３１０、記憶部３５０、表示部３６０、通信部３７０、操作部３８０、マイク３９０、モーションセンサ３９２、カメラ３９５及びスピーカー３９８を備える。
【００９１】
制御部３１０は、通信端末３００の各部の動作を制御する。制御部３１０は、例えば、ＣＰＵ（中央演算処理装置）又は専用プロセッサなどの演算処理部などを含むコンピュータ装置により構成される。記憶部３５０は、ＲＡＭ（Ｒａｎｄｏｍ  Ａｃｃｅｓｓ  Ｍｅｍｏｒｙ）又はＲＯＭ（Ｒｅａｄ  Ｏｎｌｙ  ｍｅｍｏｒｙ）などに代表される半導体メモリ、又はＨＤＤ（Ｈａｒｄ  Ｄｉｓｋ  Ｄｒｉｖｅ）などを含む。制御部３１０は、記憶部３５０に記憶される各種情報及び各種制御を実施するためのプログラム３５５を読み出して実行することで通信端末３００の各部の動作を統括的に制御する。
【００９２】
プログラム３５５は、一般的には大別して二つの形態のプログラムを含む。
【００９３】
プログラム３５５は、広域通信ネットワーク４２０などを経由してクラウドサーバ２００から取得（いわゆるダウンロード）できるアプリケーションプログラム３５６を含む。アプリケーションプログラム３５６は、通信端末３００を提供する者とは別の者、例えばクラウドサーバ２００を提供する者によって提供されていてもよい。
【００９４】
また、プログラム３５５は、通信端末３００に予め記憶されており、一つ又は複数のアプリケーションプログラム３５６に対して共通的な機能を提供するオペレーティングシステム（ＯＳ）３５７を含む。代表的なオペレーティングシステム３５７としては、Ａｎｄｒｏｉｄ（登録商標）又はｉＯＳ（登録商標）などが挙げられる。
【００９５】
また、そのほかにも、オペレーティングシステム３５７は、Ｗｅｂ（Ｗｏｒｌｄ  Ｗｉｄｅ  Ｗｅｂ）ブラウザを含んでもよい。その場合は、通信部３７０は、ＨＴＭＬ（Ｈｙｐｅｒ  Ｔｅｘｔ  Ｍａｒｋｕｐ  Ｌａｎｇｕａｇｅ）又はＪａｖａｓｃｒｉｐｔ（登録商標）で記載され、クラウドサーバ２００に格納されたアプリケーションプログラム３５６を、広域通信ネットワーク４２０を介して取得し、制御部３１０は、取得したアプリケーションプログラム３５６を実行する。
【００９６】
なお、記憶部３５０は、予め一つ又は複数のアプリケーションプログラム３５６を記憶していてもよい。
【００９７】
また、通信端末３００のオペレーティングシステム３５７は、広域通信ネットワーク４２０を介してその機能の一部又は全部をアップデートできてもよい。また、オペレーティングシステム３５７は、その一部又は全部をユーザによって削除できてもよい。
【００９８】
また、制御部３１０は、表示制御部３２０と、フィードバック判定部３２２と、通信制御部３３０とを備える。表示制御部３２０は、表示部３６０を制御する。通信制御部３３０は、通信部３７０を制御する。さらに、通信制御部３３０は、状態取得部３４０を備える。状態取得部３４０は、電気機器１００の動作状態を示す情報（動作情報）を取得する。
【００９９】
通信部３７０は、広域通信ネットワーク４２０を介した通信と、狭域通信ネットワークの中継局４００を介した装置間の相互通信とを行う。 
【０１００】
表示部３６０は、制御部３１０の表示制御部３２０からの指示に応じてユーザに提示するための各種情報を表示する。本開示の実施の形態では、図４〜図９に示すように、表示部３６０は、状態取得部３４０が取得した電気機器１００の運転状況を表示する。
【０１０１】
操作部３８０は、ユーザからの入力を受け付け、入力情報を制御部３１０に伝達する。操作部３８０は、電気機器１００の運転設定を変更する時刻である運転設定変更時刻の入力をユーザから受け付ける。通信部３７０は、操作部３８０によって入力された運転設定変更時刻を電気機器１００へ送信する。
【０１０２】
表示部３６０は、電気機器１００の運転設定が変更されたことをユーザへ通知する。
【０１０３】
フィードバック判定部３２２は、運転設定が変更されたことを通信端末３００がユーザへ通知可能な状態であるか否かを判定する。通信部３７０は、フィードバック判定部３２２の判定結果を電気機器１００へ送信する。
【０１０４】
また、通信部３７０は、電気機器１００の運転設定が変更されたことを通信端末３００がユーザへ通知可能であるか否かを問い合わせるための問い合わせ情報を電気機器１００から受信する。フィードバック判定部３２２は、問い合わせ情報が受信されると、運転設定が変更されたことを通信端末３００がユーザへ通知可能な状態であるか否かを判定する。
【０１０５】
また、通信部３７０は、電気機器１００の運転設定が変更されたことを示す変更通知情報を電気機器１００から受信する。表示部３６０は、変更通知情報が受信されると、運転設定が変更されたことをユーザへ通知する。
【０１０６】
マイク３９０は、通信端末３００の周囲で発生する音声情報を取得する。
【０１０７】
モーションセンサ３９２は、通信端末３００に加えられた力の向き及び方向、速度又は加速度といった物理的な動きに関する力学情報を取得する。モーションセンサ３９２は、例えば、加速度センサ、ジャイロセンサ、又は圧力センサなどで構成されていてもよい。
【０１０８】
カメラ３９５は、通信端末３００の周囲を撮影する。カメラ３９５は、通信端末３００の周囲の光学的な画像情報を取得する。カメラ３９５は、例えば、ＣＣＤ（Ｃｈａｒｇｅ−Ｃｏｕｐｌｅｄ  Ｄｅｖｉｃｅ）イメージセンサ、ＣＭＯＳ（Ｃｏｍｐｌｅｍｅｎｔａｒｙ  ｍｅｔａｌ  ｏｘｉｄｅ  ｓｅｍｉｃｏｎｄｕｃｔｏｒ）イメージセンサ、又はフォトダイオードなどの撮像素子で構成される。
【０１０９】
スピーカー３９８は、音声を出力する。
【０１１０】
通信端末３００は、例えば、スマートフォンではなく、タブレット端末、パーソナルコンピュータ、腕時計型の携帯機器、又は携帯型ゲーム機により構成されていてもよい。
【０１１１】
なお、本実施の形態１において、操作部３８０が第１の操作部の一例に相当し、通信部３７０が第２の通信部の一例に相当し、表示部３６０がフィードバック通知部の一例に相当し、フィードバック判定部３２２がフィードバック判定部の一例に相当する。
【０１１２】
（電気機器の構成）
次に、電気機器１００の構成について、図３を参照しながら説明する。
【０１１３】
図３は、本開示の実施の形態１における電気機器の構成を示す図である。図３に示すように、電気機器１００は、運転制御部１１０、記憶部１３０、動力部１４０、電源部１５０、表示部１６０、操作部１７０及び予約管理部１８０を備える。電気機器１００は、例えば空気調和機器である。また、電気機器１００は、通信アダプタ５０に接続されている。
【０１１４】
運転制御部１１０は、電気機器１００の各部の動作を制御する。運転制御部１１０は、例えば、ＣＰＵ又は専用プロセッサなどの演算処理部などを含むコンピュータ装置により構成される。記憶部１３０は、ＲＡＭ又はＲＯＭなどに代表される半導体メモリなどを含む。運転制御部１１０は、記憶部１３０に記憶される各種情報及び各種制御を実施するためのプログラムを読み出して実行することで電気機器１００の各部の動作を統括的に制御する。運転制御部１１０は、電気機器１００の運転を制御する。
【０１１５】
また、運転制御部１１０は、電気機器１００の各種モードを設定するモード設定部１２０を備える。記憶部１３０は、電気機器１００において用いられる各種情報を記憶する。
【０１１６】
記憶部１３０は、運転制御部１１０の運転設定を変更する時刻である運転設定変更時刻と、運転設定の変更内容とを含む予約情報を記憶する。
【０１１７】
動力部１４０は、運転制御部１１０による制御の下、電気機器１００の各種運転動作を実行する。運転動作の例としては、空気調和運転が挙げられる。本開示の実施の形態１のように電気機器１００が空気調和機器である場合、空気調和運転は、冷房運転、暖房運転、除湿運転及び送風運転などを含む。また、電気機器１００が空気清浄機能を有する場合、空気調和運転は、さらに空気清浄運転を含む。
【０１１８】
また、電気機器１００が空気清浄機である場合、空気調和運転は、空気清浄運転を含む。また、電気機器１００が加湿機能を有する場合、空気調和運転は、さらに加湿兼用空気清浄運転を含む。なお、これらは空気調和運転の例示であり、これらに限定されるものではない。
【０１１９】
電源部１５０は、運転制御部１１０からの指示に基づき動力部１４０の電源のＯＮ（閉路）又はＯＦＦ（開路）を行う。
【０１２０】
表示部１６０は、電気機器１００の運転状況を表示する。表示部１６０は、例えば、発光ダイオード（Ｌｉｇｈｔ  Ｅｍｉｔｔｉｎｇ  Ｄｉｏｄｅ：ＬＥＤ）で構成され、発光ダイオードを点灯させることで動力部１４０が運転中であることを示す。
【０１２１】
操作部１７０は、電気機器１００に対するユーザからの操作を受け付ける。操作部１７０は、動力部１４０の運転設定を変更するためのボタン、動力部１４０の運転設定変更時刻を設定するためのボタンを含む。操作部１７０は、この他にも、運転種別（冷房運転、暖房運転、除湿運転又は送風運転）、設定温度、風向、又は風量などを設定できるボタンを含んでもよい。
【０１２２】
また、操作部１７０でユーザからの操作を受け付ける部品は、ユーザからの操作を受け付けることが可能であれば、ボタンとは別の部品を用いてもかまわない。例えば、液晶タッチパネルの特定の領域が押された場合にユーザからの操作を受け付けてもよいし、音声認識により特定の音声が認識された場合にユーザからの操作を受け付けてもよい。
【０１２３】
なお、操作部１７０は、電気機器１００と物理的に一体に構成されてもよいし、赤外線リモートコントローラのように電気機器１００とは物理的に一体に構成されなくてもよく、電気機器１００から数メートル以内の近距離にある場合のみ電気機器１００を操作できるように構成されていてもよい。
【０１２４】
特に、電気機器１００はユーザから物理的に手が届かないような高所に備え付けられることがある。そのため、操作部１７０は、赤外線リモートコントローラで構成されてもよい。
【０１２５】
通信アダプタ５０は、広域通信ネットワーク４２０を介して通信端末３００より受信した電気機器１００に対する命令を電気機器１００に伝達する。通信アダプタ５０は、通信端末３００によって送信された予約情報を受信し、受信した予約情報を記憶部１３０に記憶する。
【０１２６】
予約管理部１８０は、予約情報を管理する。予約管理部１８０は、記憶部３５０に記憶されている運転設定変更時刻になった場合、運転設定変更時刻が通信端末３００から受信されたものであるか否かを判断する。運転設定変更時刻が通信端末３００から受信されたものであると判断された場合、通信アダプタ５０は、運転設定が変更されたことを通信端末３００がユーザへ通知可能であるか否かを問い合わせるための問い合わせ情報を通信端末３００へ送信する。
【０１２７】
また、通信アダプタ５０は、通信端末３００によって送信された判定結果を受信する。判定結果が通知可能な状態であることを示す場合、運転制御部１１０は、変更内容に従って運転設定を変更する。通信アダプタ５０は、運転設定が変更されたことを示す変更通知情報を通信端末３００へ送信する。
【０１２８】
なお、本開示の実施の形態１では電気機器１００は空気調和機器であるが、空気調和機器の室外機については図示および説明を省略する。
【０１２９】
また、本実施の形態１において、運転制御部１１０が運転制御部の一例に相当し、記憶部１３０が予約情報記憶部の一例に相当し、予約管理部１８０が予約管理部の一例に相当し、通信アダプタ５０が第１の通信部及び通信部の一例に相当し、操作部１７０が第２の操作部の一例に相当する。
【０１３０】
（通信端末に表示される画面の説明）
まず、通信端末３００にて電気機器１００の運転設定変更時刻の予約操作を行う際に、通信端末３００の表示部３６０に表示される情報（画面）について、図４〜図９に示す例を用いて説明する。
【０１３１】
図４は、遠隔制御対象である電気機器を選択させる情報を示す機器選択画面の一例を示す図である。
【０１３２】
図４に示す例では、通信端末３００の遠隔制御対象である電気機器１００は２つ存在するため、表示部３６０には２台のエアコンの名称が表示されている。複数の電気機器が遠隔制御対象である場合、つまり、ある通信端末３００と複数の電気機器とが対応付けられている場合、機器選択画面には、通信端末３００に対応付けられた全ての電気機器を示すアイコンが表示される。
【０１３３】
機器選択画面に表示された遠隔制御対象である電気機器１００に対応するアイコンがユーザによって押下される（タップされる）ことで電気機器１００が選択される。遠隔制御対象である電気機器１００が選択された場合、表示部３６０は、図５に示す予約設定画面を表示する。
【０１３４】
図５は、遠隔制御対象である電気機器の運転設定を入力させる情報を示す予約設定画面の一例を示す図である。図５に示すように、通信端末３００の表示部３６０は、ユーザによって選択された電気機器１００の予約設定画面を表示する。
【０１３５】
予約設定画面は、ユーザが電気機器１００の運転設定変更時刻を含む予約情報を設定し、予約情報を送信するための画面である。予約設定画面には、電気機器１００に対する予約情報を設定するための操作エリア３６０ｂが設定されている。操作エリア３６０ｂには、運転設定変更時刻を入力するための入力欄７０１が備えられている。また、操作エリア３６０ｂには、冷房、暖房又は除湿といった運転種別を入力するための入力欄７０２、設定温度を入力するための入力欄７０３、及び風量を入力するための入力欄７０４が含まれていてもよい。また、操作エリア３６０ｂには、入力された予約情報を送信するための設定送信ボタン１０４０が含まれる。
【０１３６】
ユーザにより予約設定画面にて予約情報が設定され、予約設定画面内の設定送信ボタン１０４０がユーザによって押下されると、表示部３６０は、図６に示す確認画面を表示する。
【０１３７】
図６は、遠隔制御対象である電気機器の運転設定を確認させる情報を示す確認画面の一例を示す図である。図６に示すように、表示部３６０は、ユーザに対して予約情報を確認させるための確認画面を表示する。確認画面には、ユーザによって入力された予約情報と、予約情報を確定させるためのＯＫボタン１０６０とが表示される。
【０１３８】
そして、確認画面内のＯＫボタン１０６０がユーザによって押下されると、通信端末３００の通信部３７０は、電気機器１００に対する予約情報を電気機器１００に送信する。
【０１３９】
次に、通信端末３００の通信部３７０は、電気機器１００から予約情報に対する応答信号を受信する。応答信号が受信されると、表示部３６０は、図７に示す予約完了画面を表示する。
【０１４０】
図７は、遠隔制御対象である電気機器の運転設定の予約を完了させる情報を示す予約完了画面の一例を示す図である。図７に示すように、表示部３６０は、電気機器１００の運転設定の予約が完了したことを通知するための予約完了画面を表示する。
【０１４１】
なお、予約完了画面には、予約された運転設定変更時刻、運転モード、設定温度又は風量などの予約情報が表示されてもよい。また、予約完了画面には、ユーザによって入力された予約情報と、運転設定の予約を終了するためのＯＫボタン１０８０とが表示される。予約完了画面内のＯＫボタン１０８０がユーザによって押下されると、表示部３６０は、運転設定の予約を終了する。
【０１４２】
次に、現在時刻が運転設定変更時刻に到達した際に、電気機器１００の運転設定が変更された場合、通信端末３００の表示部３６０は、図８に示す運転変更通知画面を表示する。
【０１４３】
図８は、遠隔制御対象である電気機器の運転設定が変更されたことを通知する情報を示す運転変更通知画面の一例を示す図である。図８に示すように、表示部３６０は、電気機器１００の運転設定が変更されたこと、すなわち、電気機器１００の運転が開始されたことを通知するための運転変更通知画面を表示する。
【０１４４】
なお、図８では、表示部３６０は、ポップアップ型の運転変更通知画面を表示しているが、本開示は特にこれに限定されず、例えば図９に示すような縦ロール型の運転変更通知画面を表示してもよい。
【０１４５】
図９は、遠隔制御対象である電気機器の運転設定が変更されたことを通知する情報を示す運転変更通知画面の他の例を示す図である。図９に示すように、表示部３６０は、電気機器１００の運転設定が変更されたこと、すなわち、電気機器１００の運転が開始されたことを通知するための運転変更通知画面を表示する。運転変更通知画面では、電気機器１００の運転設定が変更されたことを示すメッセージが画面の上方から下方に向かって表示される。
【０１４６】
また、通信端末３００のスピーカー３９８は、現在時刻が運転設定変更時刻に到達した際に、電気機器１００の運転設定が変更された場合、報知音を鳴動させてもよい。報知音を鳴動させることで、よりユーザに電気機器１００の運転が開始されたことを気づかせることができる。この場合、スピーカー３９８がフィードバック通知部の一例に相当する。
【０１４７】
ユーザは、電気機器の運転設定が変更されたことを通知するための運転変更通知画面を見ることで、予約した時刻に電気機器の運転設定が変更されたことを知ることができる。
【０１４８】
また、現在時刻が運転設定変更時刻に到達したが、電気機器１００の運転設定が変更されなかった場合は、通信端末３００の表示部３６０は、運転設定が変更されなかったことを通知するための変更不可通知画面を表示する。なお、変更不可通知画面の説明は後述する。
【０１４９】
（遠隔操作による運転設定変更時刻の予約処理）
次に、ユーザが、通信端末３００を用いて、電気機器１００の運転設定変更時刻を遠隔操作によって設定する場合における、遠隔制御システム１の予約処理について、図１０を参照しながら説明する。
【０１５０】
図１０は、本開示の実施の形態１において、遠隔制御システムの通信端末による予約処理を説明するためのフローチャートである。
【０１５１】
まず、通信端末３００の表示部３６０は、図５に示す予約設定画面を表示する（ステップＳ１）。
【０１５２】
次に、操作部３８０は、ユーザによる電気機器１００への運転設定変更時刻の入力を受け付ける（ステップＳ２）。このとき、操作部３８０は、運転設定変更時刻だけでなく、運転設定の変更内容の入力を受け付けてもよい。
【０１５３】
次に、通信部３７０は、運転設定変更時刻を含む予約情報を電気機器１００へ送信する（ステップＳ３）。予約情報は、電気機器１００の運転設定を変更する時刻を示す運転設定変更時刻を含む。また、予約情報は、運転設定変更時刻に加えて、冷房、暖房又は除湿などの運転種別、設定温度、風向、又は風量などの電気機器１００に設定する変更内容を示す情報を含んでもよい。
【０１５４】
また、運転設定の変更内容は、電気機器１００を電源オフ状態から電源オン状態に変更する運転設定の変更を含むことが好ましい。すなわち、電気機器１００を電源オフ状態から電源オン状態に変更する場合、電源部１５０から各部へ電力が供給されることになる。そのため、運転設定の変更をユーザに通知することができる場合、電気機器１００を電源オフ状態から電源オン状態に変更することが好ましい。また、運転設定の変更をユーザに通知することができない場合、電気機器１００を電源オフ状態から電源オン状態に変更しないことが好ましい。
【０１５５】
次に、電気機器１００の通信アダプタ５０は、通信端末３００によって送信された予約情報を受信する（ステップＳ１１）。
【０１５６】
次に、予約管理部１８０は、運転設定変更時刻を含む予約情報を記憶部１３０に記憶する（ステップＳ１２）。なお、予約情報が、運転設定変更時刻に加えて、冷房、暖房又は除湿などの運転種別、設定温度、風向、又は風量などの変更内容を示す情報を含む場合は、予約管理部１８０は、運転設定変更時刻及び変更内容を含む予約情報を記憶部１３０に記憶してもよい。
【０１５７】
次に、予約管理部１８０は、運転設定変更時刻が遠隔操作によって予約されたか否かを示す遠隔操作フラグを有効に設定する（ステップＳ１３）。なお、遠隔操作フラグは、有効に設定された場合、運転設定変更時刻が遠隔操作によって予約されたことを示し、無効に設定された場合、運転設定変更時刻が電気機器１００への直接操作によって予約されたことを示す。予約管理部１８０は、有効に設定した遠隔操作フラグを記憶部１３０に記憶する。
【０１５８】
次に、通信アダプタ５０は、予約を受け付けたことを示す応答信号を、通信端末３００へ送信する（ステップＳ１４）。
【０１５９】
次に、通信端末３００の通信部３７０は、電気機器１００によって送信された応答信号を受信する（ステップＳ４）。
【０１６０】
次に、制御部３１０は、運転設定変更時刻を含む予約情報を記憶部３５０に記憶する（ステップＳ５）。なお、予約情報が、運転設定変更時刻に加えて、冷房、暖房又は除湿などの運転種別、設定温度、風向、又は風量などの変更内容を示す情報を含む場合は、制御部３１０は、運転設定変更時刻及び変更内容を含む予約情報を記憶部３５０に記憶してもよい。
【０１６１】
次に、制御部３１０は、運転設定変更時刻が遠隔操作によって予約されたか否かを示す遠隔操作フラグを有効に設定する（ステップＳ６）。制御部３１０は、有効に設定した遠隔操作フラグを記憶部３５０に記憶する。
【０１６２】
次に、表示部３６０は、運転設定変更の予約が完了したことをユーザに通知するための予約完了画面を表示する（ステップＳ７）。例えば、表示部３６０は、図７に示すように、運転設定変更時刻と、運転種別及び設定温度などの変更内容とを含む予約完了画面を表示する。
【０１６３】
（直接操作による運転設定変更時刻の予約処理）
次に、ユーザが、電気機器１００の運転設定変更時刻を、電気機器１００に備わった操作部１７０を直接操作して設定する場合における、遠隔制御システム１の予約処理について、図１１を参照しながら説明する。
【０１６４】
図１１は、本開示の実施の形態１において、遠隔制御システムの電気機器による予約処理を説明するためのフローチャートである。
【０１６５】
まず、電気機器１００の操作部１７０は、ユーザによる電気機器１００への運転設定変更時刻の入力を受け付ける（ステップＳ２１）。操作部１７０は、入力された予約情報を予約管理部１８０に出力する。予約情報は、電気機器１００の運転設定を変更する時刻を示す運転設定変更時刻を含む。また、予約情報は、運転設定変更時刻に加えて、冷房、暖房又は除湿などの運転種別、設定温度、風向、又は風量などの電気機器１００に設定する変更内容を示す情報を含んでもよい。
【０１６６】
次に、予約管理部１８０は、操作部１７０によって入力された予約情報を記憶部１３０に記憶する（ステップＳ２２）。なお、予約情報が、運転設定変更時刻に加えて、冷房、暖房又は除湿などの運転種別、設定温度、風向、又は風量などの変更内容を示す情報を含む場合は、予約管理部１８０は、運転設定変更時刻及び変更内容を含む予約情報を記憶部１３０に記憶してもよい。
【０１６７】
次に、予約管理部１８０は、記憶部１３０に記憶されている遠隔操作フラグが有効に設定されているか否かを判断する（ステップＳ２３）。ここで、記憶部１３０に記憶されている遠隔操作フラグが有効に設定されていると判断された場合（ステップＳ２３でＹＥＳ）、通信アダプタ５０は、予約情報が電気機器１００によって変更されたことを示す予約変更信号を、通信端末３００へ送信する（ステップＳ２４）。
【０１６８】
一方、記憶部１３０に記憶されている遠隔操作フラグが有効に設定されていないと判断された場合、すなわち、記憶部１３０に記憶されている遠隔操作フラグが無効に設定されていると判断された場合（ステップＳ２３でＮＯ）、予約処理を終了する。
【０１６９】
次に、予約管理部１８０は、運転設定変更時刻が遠隔操作によって予約されたか否かを示す遠隔操作フラグを無効に設定する（ステップＳ２５）。予約管理部１８０は、無効に設定した遠隔操作フラグを記憶部１３０に記憶する。
【０１７０】
次に、通信端末３００の通信部３７０は、電気機器１００によって送信された予約変更信号を受信する（ステップＳ３１）。なお、予約変更信号は、電気機器１００によって変更された予約情報を含んでもよく、制御部３１０は、記憶部３５０に記憶されている予約情報を、電気機器１００から受信した予約情報に更新してもよい。また、予約変更信号を受信した場合、制御部３１０は、記憶部３５０に記憶されている予約情報を破棄してもよい。
【０１７１】
次に、制御部３１０は、記憶部３５０に記憶されている遠隔操作フラグを有効から無効に設定する（ステップＳ３２）。
【０１７２】
次に、表示部３６０は、電気機器１００の操作部１７０をユーザが直接操作したことで、通信端末３００で入力設定した運転設定変更時刻が変更されたことをユーザに通知するための予約変更通知画面を表示する（ステップＳ３３）。
【０１７３】
すなわち、記憶部１３０に記憶されている遠隔操作フラグが有効から無効に設定されるということは、事前にユーザが通信端末３００を用いて、遠隔操作にて設定されていた運転設定変更時刻が変更されることを意味する。そのため、運転設定変更時刻が変更されたことをユーザへ通知することが好ましい。
【０１７４】
本開示の実施の形態１にかかる遠隔制御システムによれば、通信端末３００により予約された運転設定時刻が電気機器１００によって変更されたことを、通信端末３００を用いて予約したユーザに通知することができる。
【０１７５】
（予約実行処理）
次に、現在時刻が、ユーザが設定した運転設定変更時刻に到達したタイミングで実行される、遠隔制御システム１の予約実行処理について、図１２及び図１３を参照しながら説明する。
【０１７６】
図１２は、本開示の実施の形態１において、遠隔制御システムによる予約実行処理を説明するための第１のフローチャートであり、図１３は、本開示の実施の形態１において、遠隔制御システムによる予約実行処理を説明するための第２のフローチャートである。
【０１７７】
まず、通信端末３００の制御部３１０は、記憶部３５０に記憶されている遠隔操作フラグが有効に設定されているか否かを判断する（ステップＳ４１）。ここで、遠隔操作フラグが有効に設定されていないと判断された場合、すなわち、遠隔操作フラグが無効に設定されていると判断された場合（ステップＳ４１でＮＯ）、定期的にステップＳ４１の処理を繰り返し行う。
【０１７８】
一方、遠隔操作フラグが有効に設定されていると判断された場合（ステップＳ４１でＹＥＳ）、制御部３１０は、現在時刻が運転設定変更時刻に到達したか否かを判断する（ステップＳ４２）。ここで、現在時刻が運転設定変更時刻に到達していないと判断された場合（ステップＳ４２でＮＯ）、ステップＳ４１の処理に戻る。
【０１７９】
一方、現在時刻が運転設定変更時刻に到達したと判断された場合（ステップＳ４２でＹＥＳ）、制御部３１０は、運転設定が変更されたことを通信端末３００がユーザにフィードバック通知可能であるか否かを確認するための疎通確認信号を電気機器１００から受信したか否かを判断する（ステップＳ４３）。ここで、疎通確認信号を電気機器１００から受信したと判断された場合（ステップＳ４３でＹＥＳ）、ステップＳ６１の処理に移行する。
【０１８０】
一方、疎通確認信号を電気機器１００から受信していないと判断された場合（ステップＳ４３でＮＯ）、制御部３１０は、所定時間経過したか否かを判断する（ステップＳ４４）。ここで、所定時間経過していないと判断された場合（ステップＳ４４でＮＯ）、ステップＳ４３の処理に戻る。
【０１８１】
通信端末３００のステップＳ４１〜ステップＳ４４の処理に並行して、電気機器１００の予約管理部１８０は、現在時刻が運転設定変更時刻に到達したか否かを判断する（図１３のステップＳ５１）。ここで、現在時刻が運転設定変更時刻に到達していないと判断された場合（ステップＳ５１でＮＯ）、ステップＳ５１の処理を定期的に繰り返し実行する。
【０１８２】
一方、現在時刻が運転設定変更時刻に到達したと判断された場合（ステップＳ５１でＹＥＳ）、予約管理部１８０は、記憶部１３０に記憶されている遠隔操作フラグが有効に設定されているか否かを判断する（ステップＳ５２）。ここで、遠隔操作フラグが有効に設定されていないと判断された場合、すなわち、遠隔操作フラグが無効に設定されていると判断された場合（ステップＳ５２でＮＯ）、運転制御部１１０は、動力部１４０の運転設定を変更し（ステップＳ５４）、予約実行処理を終了する。
【０１８３】
より具体的には、予約管理部１８０は、遠隔操作フラグが無効に設定されていると判断すると、電気機器１００の運転設定の変更を指示する運転設定変更指示を運転制御部１１０へ出力する。運転制御部１１０は、予約管理部１８０から運転設定変更指示情報が入力されると、動力部１４０の運転設定を変更する。なお、運転制御部１１０は、予約管理部１８０に対して電気機器１００の現在の運転状況を出力してもよい。予約管理部１８０は、運転制御部１１０から入力された運転状況を、必要に応じて、表示部１６０に表示してもよい。動力部１４０の運転設定が変更されることにより、予約された変更内容で、電気機器１００の運転が行われる。
【０１８４】
一方、遠隔操作フラグが有効に設定されていると判断された場合（ステップＳ５２でＹＥＳ）、通信アダプタ５０は、運転設定が変更されたことを通信端末３００がユーザにフィードバック通知可能であるか否かを確認するための疎通確認信号を通信端末３００へ送信する（ステップＳ５３）。
【０１８５】
次に、通信端末３００の通信部３７０は、電気機器１００によって送信された疎通確認信号を受信する（ステップＳ６１）。
【０１８６】
次に、フィードバック判定部３２２は、運転設定が変更されたことを通信端末３００がユーザにフィードバック通知可能であるか否かを判定するフィードバック通知判定処理を実行する（ステップＳ６２）。なお、フィードバック通知判定処理については、後述する。
【０１８７】
次に、フィードバック判定部３２２は、フィードバック通知判定処理の結果、運転設定が変更されたことを通信端末３００がユーザにフィードバック通知可能であるか否かを判断する（ステップＳ６３）。ここで、運転設定が変更されたことを通信端末３００がユーザにフィードバック通知可能であると判断された場合（ステップＳ６３でＹＥＳ）、通信部３７０は、通信端末３００がユーザにフィードバック通知可能であることを示す応答信号を電気機器１００へ送信する（ステップＳ６４）。
【０１８８】
なお、運転設定が変更されたことを通信端末３００がユーザにフィードバック通知できないと判断された場合（ステップＳ６３でＮＯ）、通信部３７０は、通信端末３００がユーザにフィードバック通知可能であることを示す応答信号を送信せずに、ステップＳ６５の処理へ移行する。ステップＳ６５の処理については、後述する。
【０１８９】
次に、電気機器１００の通信アダプタ５０は、通信端末３００によって送信された応答信号を受信する（ステップＳ５５）。予約管理部１８０は、通信アダプタ５０によって応答信号が受信されると、電気機器１００の運転設定の変更を指示する運転設定変更指示を運転制御部１１０へ出力する。なお、運転設定変更指示は、予約管理部１８０が記憶した予約情報に基づき、ユーザが設定した設定温度、運転種別、風向、又は風量などの変更内容を含むことが好ましい。
【０１９０】
なお、疎通確認信号を送信してから所定時間が経過しても応答信号が受信されない場合、運転制御部１１０は、運転設定を変更せずに、予約実行処理を終了してもよい。
【０１９１】
次に、運転制御部１１０は、予約管理部１８０から運転設定変更指示が入力されると、動力部１４０の運転設定を変更する（ステップＳ５６）。運転制御部１１０は、例えば、運転設定変更指示に従って電気機器１００の運転を開始する。運転制御部１１０は、電気機器１００の現在の運転状況を通信アダプタ５０へ出力する。運転状況は、電気機器１００の運転設定が変更されたか否かを示す情報を含む。また、運転状況は、設定温度、運転種別、風向、又は風量等の詳細な運転状況を含んでもよい。
【０１９２】
次に、通信アダプタ５０は、運転制御部１１０から運転状況が入力されると、運転状況を通信端末３００へ送信する（ステップＳ５７）。
【０１９３】
次に、通信端末３００の通信部３７０は、電気機器１００によって送信された運転状況を受信する（ステップＳ６６）。
【０１９４】
次に、表示部３６０は、図８に示すように、電気機器１００の運転設定が変更されたことをユーザに通知するための運転変更通知画面を表示する（ステップＳ６７）。このとき、運転変更通知画面は、受信した電気機器１００の運転状況を含む。
【０１９５】
以上が、通信端末３００が疎通確認信号を受信し、運転設定が変更されたことを通信端末３００がユーザにフィードバック通知可能であると判断された場合に実行される遠隔制御システム１の予約実行処理である。
【０１９６】
本開示の実施の形態１にかかる遠隔制御システム１によれば、現在時刻が運転設定変更時刻に到達した際に、ユーザが遠隔操作によって運転設定変更時刻を設定しており、且つ運転設定が変更されたことを通信端末３００がユーザに通知可能である場合に限り、電気機器１００の運転設定が変更される。これにより、ユーザは、ユーザが予約した時刻に、電気機器１００の運転設定が変更されたことを確認することができるため、ユーザに安心感を提供することができる。
【０１９７】
また、ユーザが電気機器１００を直接操作することによって、運転設定変更時刻が設定された場合は、運転設定が変更されたことを通信端末３００がユーザにフィードバック通知できるか否かにかかわらず、電気機器１００の運転設定が変更される。このように、本実施の形態１にかかる遠隔制御システム１では、ユーザが遠隔操作しなかった場合には、運転設定が変更されたことがユーザに通知されないので、ユーザに与える煩わしさを抑制することができる。
【０１９８】
次に、通信端末３００が疎通確認信号を受信できなかった場合の遠隔制御システム１の予約実行処理について説明する。
【０１９９】
図１２のステップＳ４３において疎通確認信号を電気機器１００から受信していないと判断され、かつステップＳ４４において所定時間経過したと判断された場合（ステップＳ４４でＹＥＳ）、表示部３６０は、運転設定が変更されなかったことを通知するための運転失敗通知画面を表示する（ステップＳ４５）。
【０２００】
図１４は、運転設定が変更されなかったことを通知するための運転失敗通知画面の一例を示す図である。所定時間経過しても疎通確認信号が受信されない場合、表示部３６０は、図１４に示す運転失敗通知画面を表示する。
【０２０１】
このとき、運転失敗通知画面は、電気機器１００が運転設定を変更しなかった旨を示す情報に加えて、通信端末３００が疎通確認信号を受信できなかった原因を示す情報を含むことが好ましい。
【０２０２】
例えば、通信端末３００が電波の届かない場所にあり、広域通信ネットワーク４２０に接続していない場合は、通信端末３００は、電気機器１００から疎通確認信号を受信できないことがある。
【０２０３】
そこで、表示部３６０は、通信端末３００が電波の届かない場所にあり、電気機器１００と通信できないため、電気機器１００の運転設定を変更しなかったことを示す文言を運転失敗通知画面上に表示してもよい。
【０２０４】
また、このとき、表示部３６０は、電気機器１００が運転設定を変更しなかった旨を示す情報に加えて、ユーザに電気機器１００の遠隔操作を促すための文言を表示してもよい。例えば、表示部３６０は、運転失敗通知画面に、通信端末３００を通信可能な場所に移動させて、電気機器１００を制御することを確認するための文言と、ユーザの応答を受け付けるためのＹＥＳボタン１０５０及びＮＯボタン１０５１とを表示する。
【０２０５】
運転失敗通知画面においてユーザによってＹＥＳボタン１０５０が押下された場合は、表示部３６０は、電気機器１００を遠隔操作するための運転設定画面を表示部３６０へ表示する。
【０２０６】
図１５は、電気機器を遠隔操作するための運転設定画面の一例を示す図である。
【０２０７】
ここで、運転設定画面には、電気機器１００に運転設定の変更を指示するためのボタンが含まれている。
【０２０８】
なお、運転設定画面には、電気機器１００に運転設定の変更を指示するためのボタンに加えて、冷房運転、暖房運転又は除湿運転などの運転種別、設定温度、又は風量を含む情報が表示されていてもよい。
【０２０９】
また、通信端末３００が通信機能をオフにするモード（いわゆる、機内モード）に設定されており、外部と通信できない場合は、表示部３６０は、電気機器１００が運転設定を変更しなかった理由として、通信端末３００が機内モードに設定されていたため、電気機器１００と通信できず、電気機器１００の運転設定を変更しなかったことを運転失敗通知画面に表示してもよい。また、表示部３６０は、運転失敗通知画面に、通信端末３００の機内モードを解除させて、電気機器１００を制御することを確認するための文言と、ユーザの応答を受け付けるためのＹＥＳボタン１０５０及びＮＯボタン１０５１とを表示してもよい。
【０２１０】
また、通信端末３００が電池の残量が少ないため省電力モードに設定されており、電波を発することができない場合は、表示部３６０は、電気機器１００が運転設定を変更しなかった理由として、通信端末３００が省電力モードに設定されており、電池の残量が少ないため、電気機器１００と通信できず、電気機器１００の運転設定を変更しなかったことを運転失敗通知画面に表示してもよい。また、表示部３６０は、運転失敗通知画面に、通信端末３００を充電させて、電気機器１００を制御することを確認するための文言と、ユーザの応答を受け付けるためのＹＥＳボタン１０５０及びＮＯボタン１０５１とを表示してもよい。
【０２１１】
図１５に示す電気機器を遠隔操作するための運転設定画面を表示中に、ユーザによって運転開始を指示するボタン１０４０ｂが押下されると、遠隔制御システム１は、再操作処理を行う。ここで、遠隔制御システム１による再操作処理について説明する。
【０２１２】
図１２のステップＳ４５において運転失敗通知画面が表示された後、操作部３８０は、ユーザから、電気機器１００に運転設定の変更を指示するための運転設定変更指示の入力操作を受け付ける（ステップＳ４６）。すなわち、表示部３６０は、図１５に示す運転設定画面を表示し、操作部３８０は、運転設定画面において、設定温度、運転種別、風向、又は風量などの変更内容を含む運転設定変更指示の入力を受け付ける。
【０２１３】
次に、通信部３７０は、操作部３８０によって入力された運転設定変更指示を電気機器１００へ送信する（ステップＳ４７）。
【０２１４】
次に、通信アダプタ５０は、通信端末３００によって送信された運転設定変更指示を受信する（ステップＳ７１）。通信アダプタ５０は、電気機器１００の運転設定の変更を指示する運転設定変更指示を運転制御部１１０へ出力する。
【０２１５】
なお、本実施の形態１では、運転失敗通知画面が表示された後、運転設定変更指示のユーザによる入力を受け付けているが、本開示は特にこれに限定されず、運転失敗通知画面が表示された後、予約実行処理を終了してもよい。
【０２１６】
次に、運転制御部１１０は、通信アダプタ５０から運転設定変更指示が入力されると、動力部１４０の運転設定を変更する（ステップＳ５６）。運転制御部１１０は、例えば、運転設定変更指示に従って電気機器１００の運転を開始する。運転制御部１１０は、電気機器１００の現在の運転状況を通信アダプタ５０へ出力する。運転状況は、電気機器１００の運転設定が変更されたか否かを示す情報を含む。また、運転状況は、設定温度、運転種別、又は風向を含んでもよい。
【０２１７】
次に、通信アダプタ５０は、運転制御部１１０から運転状況が入力されると、運転状況を通信端末３００へ送信する（ステップＳ５７）。
【０２１８】
次に、通信端末３００の通信部３７０は、電気機器１００によって送信された運転状況を受信する（ステップＳ６６）。
【０２１９】
次に、表示部３６０は、図８に示すように、電気機器１００の運転設定が変更されたことをユーザに通知するための運転変更通知画面を表示する（ステップＳ６７）。このとき、運転変更通知画面は、受信した電気機器１００の運転状況を含む。
【０２２０】
本開示の実施の形態１にかかる遠隔制御システム１によれば、通信端末３００が、例えば、電波が届かない場所にあり、電気機器１００の運転設定の変更を通信端末３００へフィードバック通知できない場合は、電気機器１００の運転設定は変更されない。
【０２２１】
これにより、ユーザに通知されることなく、電気機器１００の運転設定が変更されることを防止することができる。
【０２２２】
また、これにより、通信端末３００が、電気機器１００の運転設定が変更されることをフィードバック通知できない場合に、運転設定が変更されることを通知できないことを表示画面に表示することで、ユーザに対して運転設定が変更されることを通知できない状況を早期に知らせることができ、また、即座に復旧のための再操作を促すことができる。
【０２２３】
次に、通信端末３００が、電気機器１００から疎通確認信号を受信したにもかかわらず、図１３のステップＳ６３においてフィードバック通知判定処理において、運転設定が変更されたことを通信端末３００がユーザにフィードバック通知できないと判断された場合の遠隔制御システム１の処理について説明する。
【０２２４】
図１３のステップＳ６３において、電気機器１００から疎通確認信号を受信したにもかかわらず、電気機器１００の運転設定が変更されたことを通信端末３００がユーザにフィードバック通知できないと判断された場合（ステップＳ６３でＮＯ）、表示部３６０は、電気機器１００の運転設定が変更されたことをフィードバック通知できないことを示すフィードバック通知不可画面を表示する（ステップＳ６５）。
【０２２５】
図１６は、電気機器の運転設定が変更されたことをフィードバック通知できないことを示すフィードバック通知不可画面の一例を示す図である。
【０２２６】
例えば、図１６に示すように、表示部３６０は、「運転設定変更の時刻となりましたが、お使いの通信端末が、エアコンの運転状況を表示できない設定となっていたため、エアコンの運転を開始しませんでした。」といった文言をフィードバック通知不可画面に表示する。
【０２２７】
また、図１４の運転失敗通知画面と同様に、表示部３６０は、電気機器１００の再操作を促すための通知をフィードバック通知不可画面に表示することが好ましい。例えば、表示部３６０は、フィードバック通知不可画面に「もう一度、エアコンを制御しますか？」という文言と、ユーザの応答を受け付けるためのＹＥＳボタン及びＮＯボタンとを表示する。
【０２２８】
通信端末３００は、フィードバック通知不可画面においてユーザによりＹＥＳボタンが押下されたことを検知すると、図１２のステップＳ４６の処理以降の再操作処理を行う。すなわち、図１３のステップＳ６５においてフィードバック通知不可画面が表示された後、操作部３８０は、ユーザから、電気機器１００に運転設定の変更を指示するための運転設定変更指示の入力操作を受け付ける（ステップＳ４６）。再操作処理によって、通信端末３００が電気機器１００の運転状況を受信できた場合は、運転変更通知画面が表示される（図１３のステップＳ６７）。
【０２２９】
次に、図１３のステップＳ６２におけるフィードバック通知判定処理について説明する。
【０２３０】
フィードバック判定部３２２は、ユーザにより、オペレーティングシステム３５７に設定された内容が、フィードバック通知を可能とする条件を満たさなかった場合、ステップＳ６２において、フィードバック通知不可能と判定する。
【０２３１】
一例として、図１７を参照しながら、通信端末３００が、オペレーティングシステム３５７に備えられた通知機能を使って、ユーザに対してフィードバック通知可能であるか否かを判定するフィードバック通知判定処理について説明する。
【０２３２】
図１７は、本開示の実施の形態１において、図１３のステップＳ６２におけるフィードバック通知判定処理について説明するためのフローチャートである。
【０２３３】
ＯＳの通知機能は、通信端末３００が、アプリケーションプログラム３５６がユーザに対して通知する内容を、現在の表示画面に割り込んで重畳して表示する機能のことである。
【０２３４】
また、ＯＳの他の通知機能としては、通信端末３００が省電力状態（スリープ状態）であり、画面に何も表示されていない状態であっても、画面にアプリケーションプログラム３５６がユーザに対して通知する内容を通知する機能がある。
【０２３５】
ＯＳの通知機能の例としては、例えば、Ａｎｄｒｏｉｄの“Ｎｏｔｉｆｉｃａｔｉｏｎ”機能、又はｉＯＳの“Ｌｏｃａｌ  Ｎｏｔｉｆｉｃａｔｉｏｎ”機能などが挙げられる。もちろん、ＯＳの通知機能は、他の通知機能を用いて提供されてもよい。
【０２３６】
まず、フィードバック判定部３２２は、ＯＳの通知機能が有効に設定されているか否かを判断する（ステップＳ８１）。ユーザによってオペレーティングシステム３５７に対してＯＳの通知機能が有効に設定されていない場合は、表示部３６０は、ユーザに対して電気機器１００の運転状況を通知することができない。そのため、ＯＳの通知機能が有効に設定されていないと判断された場合（ステップＳ８１でＮＯ）、フィードバック判定部３２２は、フィードバック通知不可能と判定する（ステップＳ８５）。
【０２３７】
一方、ＯＳの通知機能が有効に設定されていると判断された場合（ステップＳ８１でＹＥＳ）、フィードバック判定部３２２は、アプリケーションプログラム（ＡＰ）３５６に対してＯＳの通知機能の利用が許可されているか否かを判断する（ステップＳ８２）。
【０２３８】
すなわち、オペレーティングシステム３５７は、個別のアプリケーションプログラム３５６に対して、ＯＳの通知機能を利用するか否かを設定することができる。この場合、ＯＳの通知機能が有効に設定されていたとしても、本開示の実施の形態１にかかる通信端末３００の処理が記載されたアプリケーションプログラム３５６に対してＯＳの通知機能の利用が許可されていない場合、表示部３６０は、ユーザに対して電気機器１００の運転状況を通知することができない。
【０２３９】
そのため、アプリケーションプログラム３５６に対してＯＳの通知機能の利用が許可されていないと判断された場合（ステップＳ８２でＮＯ）、フィードバック判定部３２２は、フィードバック通知不可能と判定する（ステップＳ８５）。
【０２４０】
一方、アプリケーションプログラム３５６に対してＯＳの通知機能の利用が許可されていると判断された場合（ステップＳ８２でＹＥＳ）、フィードバック判定部３２２は、画面がロックされた状態でＯＳの通知機能の利用が許可されているか否かを判断する（ステップＳ８３）。
【０２４１】
すなわち、オペレーティングシステム３５７は、通信端末３００の利用シーン毎に、ＯＳの通知機能を利用するか否かを設定することができる。この場合、ＯＳの通知機能が有効に設定されていたとしても、通信端末３００の画面がロックされた状態でＯＳの通知機能の利用が許可されていない場合、表示部３６０は、通信端末３００の画面がロックされた状態で、ユーザに対して電気機器１００の運転状況を通知することができない。
【０２４２】
そのため、画面がロックされた状態でＯＳの通知機能の利用が許可されていないと判断された場合（ステップＳ８３でＮＯ）、フィードバック判定部３２２は、フィードバック通知不可能と判定する（ステップＳ８５）。
【０２４３】
一方、画面がロックされた状態でＯＳの通知機能の利用が許可されていると判断された場合（ステップＳ８３でＹＥＳ）、フィードバック判定部３２２は、フィードバック通知可能と判定する（ステップＳ８４）。
【０２４４】
ステップＳ６２のフィードバック通知判定処理において、フィードバック通知不可能と判定された場合、通信部３７０は、電気機器１００に対して応答信号を直ちに送信しない。
【０２４５】
表示部３６０は、例えば、通信端末３００の画面のロックが解除されたタイミング、又はアプリケーションプログラムが起動されたタイミングなどで、フィードバック通知が不可能であったために、電気機器１００の運転設定を変更しなかった旨を通知してもよい。
【０２４６】
なお、図１７に示すフィードバック通知判定処理において、フィードバック判定部３２２は、ステップＳ８１の処理のみを行い、フィードバック通知可能か否かを判定してもよい。すなわち、フィードバック判定部３２２は、通信端末３００が受信した情報を自動的に通知する機能の使用がユーザによって許可されていた場合に、通信端末３００が通知可能な状態であると判定してもよい。
【０２４７】
また、図１７に示すフィードバック通知判定処理において、フィードバック判定部３２２は、ステップＳ８２の処理のみを行い、フィードバック通知可能か否かを判定してもよい。すなわち、フィードバック判定部３２２は、運転設定変更時刻になった際に電気機器の運転設定が変更されたことをユーザへ通知するためのアプリケーションプログラムに対して、通信端末３００が受信した情報を自動的に通知する機能の使用がユーザによって許可されていた場合に、通信端末３００が通知可能な状態であると判定してもよい。
【０２４８】
また、図１７に示すフィードバック通知判定処理において、フィードバック判定部３２２は、ステップＳ８３の処理のみを行い、フィードバック通知可能か否かを判定してもよい。すなわち、フィードバック判定部３２２は、通信端末３００の入力操作を制限するロック画面において通信端末３００が受信した情報を自動的に通知する機能の使用がユーザによって許可されていた場合に、通信端末３００が通知可能な状態であると判定してもよい。
【０２４９】
また、フィードバック判定部３２２は、通信端末３００が省電力状態であり、且つ通信端末３００が受信した情報を自動的に通知する機能の使用がユーザによって許可されていた場合に、通信端末３００が通知可能な状態であると判定されてもよい。
【０２５０】
本開示の実施の形態１にかかる遠隔制御システム１では、予約管理部１８０は、現在時刻が運転設定変更時刻に到達した場合、通信端末３００と電気機器１００とが互いに通信可能であるか否かを確認し、互いに通信可能である場合に限り、電気機器１００の運転設定を変更し、電気機器１００の運転状況を通信端末３００へ送信する。
【０２５１】
また、予約管理部１８０は、通信端末３００と電気機器１００とが互いに通信不可能である場合は、電気機器１００の運転設定を変更しない。これにより、通信端末３００を携帯するユーザに通知することなく、電気機器１００の運転設定が変更されることを抑制することができる。また、表示部３６０は、現在時刻が運転設定変更時刻に到達したものの電気機器１００の運転設定が変更されなかったことを表示することで、ユーザに対して電気機器１００の再操作を促すことができ、電気機器１００の運転設定が変更されたことをユーザに把握させつつ、電気機器１００の運転設定を変更させることができる。
【０２５２】
なお、本開示の実施の形態１で説明した、通信端末３００が実行する処理は、アプリケーションプログラム３５６によって提供されていてもよい。その場合、ユーザが通信端末３００を入手した後に、広域通信ネットワーク４２０からアプリケーションプログラム３５６を入手し記憶部３５０へ記憶させる。制御部３１０は、記憶部３５０に記憶されたアプリケーションプログラム３５６を実行する。
【０２５３】
なお、本開示の実施の形態１で説明した、通信端末３００が実行する処理は、オペレーティングシステム３５７を構成するプログラムの一部によって提供されていてもよい。
【０２５４】
また、通信端末３００と電気機器１００とは、クラウドサーバ２００を中継して通信してもよい。
【０２５５】
例えば、通信端末３００と電気機器１００とのうちの情報を送信する装置がクラウドサーバ２００へ情報を格納し、情報を受信する装置がクラウドサーバ２００に格納された情報をクラウドサーバ２００から定期的に取得する方法（いわゆる、クライアントによるサーバへのポーリング）が遠隔制御システム１に用いられてもよい。
【０２５６】
なお、その他にも、クラウドサーバ２００が、情報を送信する側の装置に対して、送信すべき情報の変更の有無又は情報そのものを定期的に問い合わせ（いわゆる、サーバによるクライアントへのポーリング）、情報が変更されていた場合は、クラウドサーバ２００内に変更後の情報を格納し、必要に応じて、受信される側の装置に対して情報を送信する方法が遠隔制御システム１に用いられてもよい。
【０２５７】
また、通信端末３００と電気機器１００とのうちの情報を送信する装置がクラウドサーバ２００へ情報を格納し、クラウドサーバ２００が、格納された情報を、情報を受信する装置へ送信する方法（いわゆるプッシュ通知）が用いられてもよい。
【０２５８】
特に、広域通信ネットワーク４２０がＴＣＰ／ＩＰのプロトコルスタックを用いた構成である場合、通信端末３００又は電気機器１００を、広域通信ネットワーク４２０上で一意に識別するための識別情報（例えば、ＩＰアドレスや）が一時的に動的に割り当てられ、解放されることがある（例えば、ＤＨＣＰ：Ｄｙｎａｍｉｃ  Ｈｏｓｔ  Ｃｏｎｔｒｏｌ  Ｐｒｏｔｏｃｏｌ）。
【０２５９】
その場合は、通信端末３００と電気機器１００とが、互いのＩＰアドレスを事前に交換しておかない限り直接通信できないことが考えられる。
【０２６０】
そこで、ＩＰアドレスを固定したクラウドサーバ２００を介在させ、通信端末３００と電気機器１００とは、クラウドサーバ２００上に情報を格納するとともにクラウドサーバ２００から情報を読み出す方法を用いるとよい。
【０２６１】
なお、広域通信ネットワーク４２０上の識別情報として固定したＩＰアドレスを用いる方法を例示したが、識別情報として固定したＩＰアドレスを用いる代わりにホスト名を固定したクラウドサーバ２００を用いてもかまわない（いわゆる：ＤＮＳ：Ｄｏｍａｉｎ  Ｎａｍｅ  Ｓｙｓｔｅｍ）。また、クラウドサーバ２００のＩＰアドレスを固定せずに、動的に確保されたクラウドサーバ２００のＩＰアドレスと固定のホスト名とを関連付ける方法（いわゆるＤＤＮＳ：Ｄｙｎａｍｉｃ  ＤＮＳ）が用いられてもよい。
【０２６２】
また、クラウドサーバ２００は、単一の機器で構成されていてもよいし、複数の機器によって構成されてもよい。
【０２６３】
また、本実施の形態１では、電気機器１００が、運転設定が変更されたことを通信端末３００がユーザへ通知可能であるか否かを問い合わせるための疎通確認信号（問い合わせ情報）を通信端末３００へ送信しているが、本開示は特にこれに限定されず、クラウドサーバ２００が、疎通確認信号を通信端末３００へ送信してもよい。電気機器１００が疎通確認信号を送信する場合、電気機器１００とクラウドサーバ２００との間で通信途絶が起きた場合でも、問い合わせ処理以降の処理を行うことが可能である。また、クラウドサーバ２００が疎通確認信号を送信する場合、電気機器１００に問い合わせ処理を行うための構成を備える必要がなくなり、電気機器１００の構成を簡略化することができる。
【０２６４】
（実施の形態２）
次に、本開示の実施の形態２にかかる遠隔制御システム１について説明する。
【０２６５】
本開示の実施の形態２にかかる遠隔制御システム１は、本開示の実施の形態１にかかる遠隔制御システム１の通信端末３００が行う処理のうち、電気機器１００の運転状況を通信端末３００がフィードバック通知可能か否かを判定するフィードバック通知判定処理（図１３のステップＳ６２）の詳細が異なる。
【０２６６】
なお、本開示の実施の形態２にかかる遠隔制御システム１と、本開示の実施の形態１にかかる遠隔制御システム１とで同じ構成については同じ符号又は番号を用い、その説明を省略する。
【０２６７】
本実施の形態２において、フィードバック判定部３２２は、操作部３８０がユーザによって操作されている場合に、通信端末３００が通知可能な状態であると判定する。
【０２６８】
図１３のステップＳ６２において、通信端末３００のフィードバック判定部３２２が、電気機器１００の運転状況をユーザにフィードバック通知可能か否かを判定するフィードバック通知判定処理について、図１８を参照しながら説明する。
【０２６９】
図１８は、本開示の実施の形態２において、図１３のステップＳ６２におけるフィードバック通知判定処理について説明するためのフローチャートである。
【０２７０】
図１８のステップＳ９１〜ステップＳ９３の処理は、図１７のステップＳ８１〜ステップＳ８３の処理と同じである。
【０２７１】
画面がロックされた状態でＯＳの通知機能の利用が許可されていると判断された場合（ステップＳ９３でＹＥＳ）、フィードバック判定部３２２は、所定時間内に通信端末３００の備える操作部３８０（タッチパネル等）を用いたユーザによる操作が受け付けられたか否かを判定する。すなわち、所定時間内に操作部３８０を用いたユーザによる操作が受け付けられたということは、ユーザが通信端末３００を操作中である可能性が高く、電気機器１００の運転設定が変更されることをユーザに確実に通知することが可能である。
【０２７２】
ここで、所定時間内に操作部３８０を用いたユーザによる操作が受け付けられたと判断された場合（ステップＳ９４でＹＥＳ）、フィードバック判定部３２２は、フィードバック通知可能と判定する（ステップＳ９５）。
【０２７３】
一方、所定時間内に操作部３８０を用いたユーザによる操作が受け付けられなかったと判断された場合（ステップＳ９４でＮＯ）、フィードバック判定部３２２は、フィードバック通知不可能と判定する（ステップＳ９６）。
【０２７４】
本開示の実施の形態２にかかる遠隔制御システム１では、操作部３８０を用いたユーザによる操作が認識されることにより、ユーザがフィードバック通知を目視可能な状況にあることを認識した後に、電気機器１００の運転設定が変更される。
【０２７５】
よって、本開示の実施の形態２にかかる遠隔制御システム１は、ユーザに通知されることなく、電気機器１００の運転設定が変更されることをより確実に回避することができる。
【０２７６】
（実施の形態３）
次に、本開示の実施の形態３にかかる遠隔制御システム１について説明する。
【０２７７】
例えば、現在時刻が運転設定変更時刻に到達したときに、ユーザの通信端末３００がカバンの中に入っていた場合は、運転設定が変更されたことをユーザにフィードバック通知されないおそれがあり、この場合は、ユーザに通知されることなく、電気機器１００の運転設定が変更されてしまうおそれがあった。
【０２７８】
本開示の実施の形態３にかかる遠隔制御システム１は、本開示の実施の形態１にかかる遠隔制御システム１の通信端末３００が行う処理のうち、電気機器１００の運転状況を通信端末３００がフィードバック通知可能か否かを判定するフィードバック通知判定処理（図１３のステップＳ６２）の詳細が異なる。
【０２７９】
なお、本開示の実施の形態３にかかる遠隔制御システム１と、本開示の実施の形態１にかかる遠隔制御システム１とで同じ構成については同じ符号又は番号を用い、その説明を省略する。
【０２８０】
図１３のステップＳ６２において、通信端末３００のフィードバック判定部３２２が、電気機器１００の運転状況をユーザにフィードバック通知可能か否かを判定するフィードバック通知判定処理について、図１９及び図２０を参照しながら説明する。
【０２８１】
図１９は、本開示の実施の形態３における通信端末の構成を示す図である。図１９に示す通信端末３００の制御部３１０は、表示制御部３２０と、フィードバック判定部３２２と、通信制御部３３０と、ユーザ認識部３２３とを備える。
【０２８２】
ユーザ認識部３２３は、カメラ３９５による撮影で得られた画像に基づいてユーザを認識する。カメラ３９５は、操作部３８０によって予約情報の入力が受け付けられる前に、ユーザの顔画像を撮影し、撮影した顔画像を記憶部３５０に予め記憶する。記憶部３５０は、カメラ３９５による撮影で得られたユーザの顔画像を予め記憶する。ユーザ認識部３２３は、カメラ３９５による撮影で得られた画像から、記憶部３５０に予め記憶されている顔画像に一致するユーザを認識する。
【０２８３】
フィードバック判定部３２２は、ユーザ認識部３２３によってユーザが認識された場合に、通信端末３００が通知可能な状態であると判定する。
【０２８４】
なお、本実施の形態３において、カメラ３９５が撮影部の一例に相当し、ユーザ認識部３２３が画像認識部の一例に相当し、記憶部３５０が画像記憶部の一例に相当する。
【０２８５】
図２０は、本開示の実施の形態３において、図１３のステップＳ６２におけるフィードバック通知判定処理について説明するためのフローチャートである。
【０２８６】
図２０のステップＳ１０１〜ステップＳ１０３の処理は、図１７のステップＳ８１〜ステップＳ８３の処理と同じである。
【０２８７】
画面がロックされた状態でＯＳの通知機能の利用が許可されていると判断された場合（ステップＳ１０３でＹＥＳ）、カメラ３９５は、周囲を撮影する（ステップＳ１０４）。
【０２８８】
次に、ユーザ認識部３２３は、カメラ３９５による撮影で得られた撮影画像からユーザの顔を認識する（ステップＳ１０５）。
【０２８９】
次に、フィードバック判定部３２２は、ユーザ認識部３２３によって撮影画像からユーザの顔が認識されたか否かを判断する（ステップＳ１０６）。
【０２９０】
ここで、ユーザの顔が認識されたと判断された場合（ステップＳ１０６でＹＥＳ）、フィードバック判定部３２２は、フィードバック通知可能と判定する（ステップＳ１０７）。
【０２９１】
一方、ユーザの顔が認識されなかったと判断された場合（ステップＳ１０６でＮＯ）、フィードバック判定部３２２は、フィードバック通知不可能と判定する（ステップＳ１０８）。
【０２９２】
なお、ユーザ認識部３２３は、運転設定変更時刻を予約する前にユーザの顔を撮影した顔画像を記憶部３５０に記憶しておき、フィードバック通知判定処理において撮影した画像と、記憶部３５０に予め記憶している顔画像との差異を比較することにより、ユーザを認識する。
【０２９３】
なお、その他にも、記憶部３５０は、一般的な人間の顔画像を予め記憶しておき、ユーザ認識部３２３は、フィードバック通知判定処理において撮影した画像と、記憶部３５０に予め記憶している画像との差異を比較することにより、ユーザを認識してもよい。
【０２９４】
本開示の実施の形態３にかかる遠隔制御システム１では、カメラ３９５を用いてユーザの顔が認識されることにより、ユーザがフィードバック通知を目視可能な状況にあることを認識した後に、電気機器１００の運転設定が変更される。
【０２９５】
また、本開示の実施の形態３にかかる遠隔制御システム１では、運転設定変更時刻が予約される前にユーザの顔画像が撮影されて記憶され、運転設定変更時刻が予約されたタイミングで撮影した画像と、記憶しているユーザの顔画像との差異を比較することで、ユーザがフィードバック通知を目視可能な状況にあることを認識した後に、電気機器１００の運転設定が変更される。
【０２９６】
これにより、本開示の実施の形態３にかかる遠隔制御システム１は、ユーザに通知されることなく、電気機器１００の運転設定が変更されることをより確実に回避することができる。
【０２９７】
次に、本開示の実施の形態３の第１の変形例にかかる遠隔制御システム１について説明する。
【０２９８】
上記の本実施の形態３では、ユーザ認識部３２３は、カメラ３９５による撮影で得られた画像に基づいてユーザを認識しているが、本開示は特にこれに限定されず、マイク３９０によって取得された音声情報に基づいてユーザを認識してもよい。
【０２９９】
マイク３９０は、通信端末３００の周囲の音声を示す音声情報を取得しもよい。ユーザ認識部３２３は、マイク３９０によって取得された音声情報に基づいてユーザを認識しもよい。また、マイク３９０は、操作部３８０によって予約情報の入力が受け付けられる前に、ユーザの音声情報を取得し、取得したユーザの音声情報を記憶部３５０に記憶してもよい。記憶部３５０は、マイク３９０によって取得された音声情報を予め記憶しもよい。ユーザ認識部３２３は、は、マイク３９０によって取得された音声情報から、記憶部３５０に予め記憶されている音声情報に一致するユーザを認識しもよい。
【０３００】
フィードバック判定部３２２は、ユーザ認識部３２３によってユーザが認識された場合に、通信端末３００が通知可能な状態であると判定しもよい。
【０３０１】
なお、本実施の形態３の第１の変形例において、マイク３９０が音声取得部の一例に相当し、ユーザ認識部３２３が音声認識部の一例に相当し、記憶部３５０が音声記憶部の一例に相当する。
【０３０２】
図２０のステップＳ１０３において画面がロックされた状態でＯＳの通知機能の利用が許可されていると判断された場合、マイク３９０は、所定時間内に周囲の音声を示す音声情報を取得する。次に、ユーザ認識部３２３は、マイク３９０によって取得された音声情報からユーザの音声を認識する。次に、フィードバック判定部３２２は、ユーザ認識部３２３によって取得された音声情報からユーザの音声が認識されたか否かを判断する。
【０３０３】
なお、マイク３９０によって取得される特定の音声情報の例としては、例えば、「はい」という人間の声などのユーザが物事を承知したことを示す音声情報が挙げられる。
【０３０４】
なお、ユーザ認識部３２３は、運転設定変更時刻を予約する前にユーザの声を録音した音声情報を記憶部３５０に記憶しておき、フィードバック通知判定処理において取得した音声情報と、記憶部３５０に予め記憶している音声情報との差異を比較することにより、ユーザを認識する。
【０３０５】
なお、その他にも、記憶部３５０は、一般的な人間の音声情報を予め記憶しておき、ユーザ認識部３２３は、フィードバック通知判定処理において取得した音声情報と、記憶部３５０に予め記憶している音声情報との差異を比較することにより、ユーザを認識してもよい。
【０３０６】
ここで、所定時間内にユーザの音声が認識されたと判断された場合、フィードバック判定部３２２は、フィードバック通知可能と判定する。一方、所定時間内にユーザの音声が認識されなかったと判断された場合、フィードバック判定部３２２は、フィードバック通知不可能と判定する。
【０３０７】
本開示の実施の形態３の第１の変形例にかかる遠隔制御システム１では、マイク３９０を用いてユーザの音声が認識されることにより、ユーザがフィードバック通知を目視可能な状況にあることを認識した後に、電気機器１００の運転設定が変更される。
【０３０８】
また、本開示の実施の形態３の第１の変形例にかかる遠隔制御システム１では、運転設定変更時刻が予約される前にユーザの音声情報が録音されて記憶され、運転設定変更時刻が予約されたタイミングで取得した音声情報と、記憶しているユーザの音声情報との差異を比較することで、ユーザがフィードバック通知を目視可能な状況にあることを認識した後に、電気機器１００の運転設定が変更される。
【０３０９】
よって、本開示の実施の形態３の第１の変形例にかかる遠隔制御システム１は、ユーザに通知されることなく、電気機器１００の運転設定が変更されることをより確実に回避することができる。
【０３１０】
次に、本開示の実施の形態３の第２の変形例にかかる遠隔制御システム１について説明する。
【０３１１】
上記の本実施の形態３では、ユーザ認識部３２３は、カメラ３９５による撮影で得られた画像に基づいてユーザを認識しているが、本開示は特にこれに限定されず、モーションセンサ３９２によって取得された力学情報に基づいてユーザを認識してもよい。
【０３１２】
モーションセンサ３９２は、通信端末３００に加わった力を示す力学情報を取得してもよい。ユーザ認識部３２３は、モーションセンサ３９２によって取得された力学情報に基づいてユーザの動きを認識してもよい。また、モーションセンサ３９２は、操作部３８０によって予約情報の入力が受け付けられる前に、ユーザの所定の動きを示す基準力学情報を取得し、取得した基準力学情報を記憶部３５０に記憶してもよい。記憶部３５０は、モーションセンサ３９２によって取得された基準力学情報を予め記憶してもよい。ユーザ認識部３２３は、モーションセンサ３９２によって取得された力学情報から、記憶部３５０に予め記憶されている基準力学情報に一致するユーザの動きを認識してもよい。
【０３１３】
フィードバック判定部３２２は、ユーザ認識部３２３によってユーザの動きが認識された場合に、通信端末３００が通知可能な状態であると判定してもよい。
【０３１４】
なお、本実施の形態３の第２の変形例において、モーションセンサ３９２がモーションセンサの一例に相当し、ユーザ認識部３２３が動き認識部の一例に相当し、記憶部３５０が動き記憶部の一例に相当する。
【０３１５】
図２０のステップＳ１０３において画面がロックされた状態でＯＳの通知機能の利用が許可されていると判断された場合、モーションセンサ３９２は、所定時間内に通信端末３００に加えられた特定のパターンの動きを示す力学情報を取得する。
【０３１６】
特定のパターンの動きの例としては、例えば、通信端末３００を左右に２回振る動きなどのユーザが物事を承知したことを示す特定の動きが挙げられる。
【０３１７】
なお、ユーザ認識部３２３は、運転設定変更時刻を予約する前にユーザの特定のパターンの動きを検出した基準力学情報を記憶部３５０に記憶しておき、フィードバック通知判定処理において取得した力学情報と、記憶部３５０に予め記憶している基準力学情報との差異を比較することにより、ユーザを認識する。
【０３１８】
ここで、所定時間内にユーザの所定の動きが認識されたと判断された場合、フィードバック判定部３２２は、フィードバック通知可能と判定する。一方、所定時間内にユーザの所定の動きが認識されなかったと判断された場合、フィードバック判定部３２２は、フィードバック通知不可能と判定する。
【０３１９】
本開示の実施の形態３の第２の変形例にかかる遠隔制御システム１では、モーションセンサ３９２を用いてユーザの特定のパターンの動きが認識されることにより、ユーザがフィードバック通知を目視可能な状況にあることを認識した後に、電気機器１００の運転設定が変更される。
【０３２０】
よって、本開示の実施の形態３の第２の変形例にかかる遠隔制御システム１は、ユーザに通知されることなく、電気機器１００の運転設定が変更されることをより確実に回避することができる。
【０３２１】
（実施の形態４）
次に、本開示の実施の形態４にかかる遠隔制御システム１について説明する。
【０３２２】
本開示の実施の形態４にかかる遠隔制御システム１は、本開示の実施の形態１にかかる遠隔制御システム１の予約管理部１８０が行う処理のうち、通信端末３００から予約情報を受信した処理（図１０のステップＳ１１）から、通信端末３００へ応答信号を送信する処理（図１０のステップＳ１４）までが異なる。
【０３２３】
なお、本開示の実施の形態４にかかる遠隔制御システム１と、本開示の実施の形態１にかかる遠隔制御システム１とで同じ構成については同じ符号または番号を用い、その説明を省略する。
【０３２４】
電気機器１００の予約管理部１８０の実施の形態１と実施の形態４との処理の差分について、図２１を参照しながら説明する。
【０３２５】
図２１は、本開示の実施の形態４において、遠隔制御システムの通信端末による予約処理を説明するためのフローチャートである。なお、図２１のステップＳ１１１の処理は、図１０のステップＳ１の処理と同じである。
【０３２６】
次に、通信端末３００の操作部３８０は、第１の運転設定変更時刻の入力を受け付ける（ステップＳ１１２）。すなわち、通信端末３００において入力された運転設定変更時刻を第１の運転設定変更時刻とする。操作部３８０は、運転制御部１１０の運転設定を変更する時刻である第１の運転設定変更時刻と、運転設定の変更内容とを含む第１の予約情報の入力を受け付ける。
【０３２７】
次に、通信部３７０は、操作部３８０によって入力された第１の予約情報を電気機器１００へ送信する（ステップＳ１１３）。
【０３２８】
電気機器１００の通信アダプタ５０は、通信端末３００によって送信された第１の予約情報を受信する（ステップＳ１２１）。
【０３２９】
次に、予約管理部１８０は、電気機器１００の操作部１７０によって入力された第２の予約情報が記憶部１３０に既に記憶されているか否かを判断する（ステップＳ１２２）。操作部１７０は、運転制御部１１０の運転設定を変更する時刻である第２の運転設定変更時刻と、運転設定の変更内容とを含む第２の予約情報の入力を受け付け、第２の予約情報を記憶部１３０に記憶する。すなわち、電気機器１００において入力された運転設定変更時刻を第２の運転設定変更時刻とする。
【０３３０】
ここで、電気機器１００によって入力された第２の予約情報が記憶部１３０に記憶されていないと判断された場合（ステップＳ１２２でＮＯ）、予約管理部１８０は、通信端末３００から受信した第１の予約情報を記憶部１３０に記憶する（Ｓ１２４）。
【０３３１】
一方、電気機器１００によって入力された第２の予約情報が記憶部１３０に既に記憶されていると判断された場合（ステップＳ１２２でＹＥＳ）、予約管理部１８０は、通信端末３００から受信した第１の予約情報に含まれる第１の運転設定変更時刻が、既に記憶されている第２の予約情報に含まれる第２の運転設定変更時刻より早いか否かを判断する（ステップＳ１２３）。
【０３３２】
ここで、第１の運転設定変更時刻が第２の運転設定変更時刻より早いと判断された場合（ステップＳ１２３でＹＥＳ）、予約管理部１８０は、すでに記憶されている第２の予約情報に加えて、通信端末３００から受信した第１の予約情報を記憶部１３０に記憶する（Ｓ１２４）。すなわち、予約管理部１８０は、操作部１７０によって第２の予約情報が入力された後に、通信アダプタ５０によって第１の予約情報が受信され、第１の予約情報に含まれる第１の運転設定変更時刻が、第２の予約情報に含まれる第２の運転設定変更時刻よりも早い場合は、第２の予約情報に加えて第１の予約情報を記憶部１３０に記憶する。
【０３３３】
次に、予約管理部１８０は、第１の予約情報に関連付けられた遠隔操作フラグを有効に設定する（ステップＳ１２５）。
【０３３４】
次に、通信アダプタ５０は、応答信号を通信端末３００へ送信する（ステップＳ１２６）。
【０３３５】
そして、運転制御部１１０は、第１の運転設定変更時刻になった場合、第１の予約情報に含まれる変更内容に基づいて運転設定を変更した後、第２の運転設定変更時刻になった場合、第２の予約情報に含まれる変更内容に基づいて運転設定を変更する。
【０３３６】
一方、ステップＳ１２３において、第１の運転設定変更時刻が第２の運転設定変更時刻より遅いと判断された場合（ステップＳ１２３でＮＯ）、予約管理部１８０は、すでに記憶されている第２の予約情報を破棄する（ステップＳ１２７）。
【０３３７】
次に、予約管理部１８０は、通信端末３００から受信した第１の予約情報を記憶部１３０に記憶する（ステップＳ１２４）。このとき、第２の予約情報は記憶部１３０に記憶されず、第１の予約情報のみが記憶部１３０に記憶されることになる。
【０３３８】
次に、予約管理部１８０は、第１の予約情報に関連付けられた遠隔操作フラグを有効に設定する（ステップＳ１２５）。
【０３３９】
次に、通信アダプタ５０は、応答信号を通信端末３００へ送信する（ステップＳ１２６）。
【０３４０】
そして、運転制御部１１０は、第１の運転設定変更時刻になった場合、第１の予約情報に含まれる変更内容に基づいて運転設定を変更する。
【０３４１】
次に、通信端末３００の通信部３７０は、電気機器１００によって送信された応答信号を受信する（ステップＳ１１４）。
【０３４２】
次に、制御部３１０は、第１の運転設定変更時刻を含む第１の予約情報を記憶部３５０に記憶する（ステップＳ１１５）。なお、図２１のステップＳ１１６及びステップＳ１１７の処理は、図１０のステップＳ６及びステップＳ７の処理と同じである。
【０３４３】
次に、現在時刻が運転設定変更時刻に到達したときの、本開示の実施の形態４にかかる遠隔制御システム１の予約実行処理について、図１２及び図１３に示した本開示の実施の形態１にかかる遠隔制御システム１の予約実行処理との差分に注目して説明する。
【０３４４】
第１の差分としては、図１３のステップＳ５１において、予約管理部１８０は、現在時刻が、第１の予約情報に含まれる第１の運転設定変更時刻又は第２の予約情報に含まれる第２の運転設定変更時刻のいずれかに到達したか否かを判断する。
【０３４５】
第２の差分としては、現在時刻が第１の運転設定変更時刻又は第２の運転設定変更時刻のいずれかに到達した場合、図１３のステップＳ５２において、予約管理部１８０は、到達した第１の運転設定変更時刻又は第２の運転設定変更時刻のいずれかの予約情報に関連付けられた遠隔操作フラグが有効に設定されているか否かを判断する。
【０３４６】
例えば、第１の予約情報に含まれる第１の運転設定変更時刻が７時であり、第１の予約情報の遠隔操作フラグが有効に設定されており、第２の予約情報に含まれる第２の運転設定変更時刻が８時であり、第２の予約情報の遠隔操作フラグが無効に設定されている場合を例に説明する。
【０３４７】
この場合、現在時刻が７時になった場合、現在時刻が第１の予約情報を構成する第１の運転設定変更時刻（７時）に到達したので、ステップＳ５１の処理で肯定と判断される。また、第１の予約情報の遠隔操作フラグが有効に設定されているので、ステップＳ５２の処理で肯定と判断される。
【０３４８】
第３の差分としては、記憶部１３０に第２の予約情報と、第２の予約情報の遠隔操作フラグとが記憶されていた場合は、図１３のステップＳ５３において通信アダプタ５０が電気機器１００の運転状況を送信する前に、予約管理部１８０は、第２の予約情報及び遠隔操作フラグを破棄する。その後、通信アダプタ５０は、運転状況を通信端末３００へ送信する。
【０３４９】
本開示の実施の形態４にかかる遠隔制御システム１では、ユーザが電気機器１００の操作部１７０を直接操作して第２の運転設定変更時刻を設定した後に、遠隔地に移動したユーザが通信端末３００を用いて第２の運転設定変更時刻より早い第１の運転設定変更時刻に設定した場合に利点を有する。
【０３５０】
本開示の実施の形態４にかかる遠隔制御システム１では、現在時刻が、遠隔操作によって予約された第１の運転設定変更時刻（７時）に到達したときに、ユーザが有する通信端末３００がフィードバック通知できずに電気機器１００の運転設定が変更されなかった場合でも、その後、現在時刻が直接操作によって予約された第２の運転設定変更時刻（８時）に到達したときに、電気機器１００の運転設定が変更される。
【０３５１】
本開示の実施の形態４にかかる遠隔制御システム１は、第１の運転設定変更時刻及び第２の運転設定変更時刻を併用することで、ユーザが予約した第１の運転設定変更時刻に電気機器１００の運転設定が変更されなかったとしても、ユーザが予約した第２の運転設定変更時刻に電気機器１００の運転設定を確実に変更することができる。
【０３５２】
（実施の形態５）
次に、本開示の実施の形態５にかかる遠隔制御システム１について説明する。
【０３５３】
本開示の実施の形態５にかかる遠隔制御システム１は、本開示の実施の形態１にかかる遠隔制御システム１の電気機器１００が行う処理のうち、ステップＳ５３において、通信アダプタ５０が通信端末３００に対して疎通確認信号を送信した後、所定時間が経過しても、通信端末３００からフィードバック通知が可能であることを示す応答信号が受信されなかった場合における処理が異なる。
【０３５４】
予約管理部１８０は、疎通確認信号を送信してから所定時間が経過しても、通信端末３００からフィードバック通知が可能であることを示す応答信号を受信しなかった場合、記憶部１３０に記憶されていた運転設定変更時刻を、現在時刻から所定時間経過後の時刻に書き換えてもよい。すなわち、予約管理部１８０は、通信端末３００に対して疎通確認信号（問い合わせ情報）を送信した後、所定時間経過しても、通信端末３００から通知可能な状態であることを示す応答信号（判定結果）が受信されない場合は、運転設定変更時刻を所定時間経過後の時刻に変更して記憶部１３０に記憶する。
【０３５５】
例えば、予約管理部１８０は、記憶部１３０に記憶されていた運転設定変更時刻を、現在時刻から５分後の時刻に書き換える。
【０３５６】
予約管理部１８０は、現在時刻が、書き換えられた運転設定変更時刻に到達したと判断された場合（ステップＳ５１でＹＥＳ）、遠隔操作フラグが有効に設定されているか否かを判断する（ステップＳ５２）。そして、遠隔操作フラグが有効に設定されていると判断された場合（ステップＳ５２でＹＥＳ）、通信アダプタ５０は、通信端末３００へ疎通確認信号を送信する（ステップＳ５３）。
【０３５７】
このとき、通信端末３００の状態がフィードバック通知可能な状態に変化していた場合は、通信端末３００の通信部３７０は、フィードバック通知が可能であることを示す応答信号を、予約管理部１８０へ送信する（ステップＳ６４）。
【０３５８】
本開示の実施の形態５にかかる遠隔制御システム１では、ユーザが設定した運転設定変更時刻において通信端末３００がフィードバック通知不可能な状態であっても、時間が経過することにより、通信端末３００がフィードバック通知可能な状態になったときに、電気機器１００の運転設定が変更され、電気機器１００の運転設定が変更されたことを、通信端末３００を介してユーザにフィードバック通知することができる。
【０３５９】
本開示の実施の形態５にかかる遠隔制御システム１は、運転設定変更時刻が再設定されることで、ユーザが予約した運転設定変更時刻において電気機器１００の運転設定が変更されなかった場合でも、ユーザが予約した運転設定変更時刻から所定時間経過した後、通信端末３００がユーザに通知可能な状態に変化した場合、電気機器１００の運転設定を変更することができる。
【０３６０】
例えば、本開示の実施の形態５にかかる遠隔制御システム１では、現在時刻が運転設定変更時刻に到達したときに、ユーザが携帯する通信端末３００がトンネルの中を移動中で広域通信ネットワーク４２０に接続できない状態であったが、運転設定変更時刻の５分後に、通信端末３００がトンネルから出て通信端末３００が広域通信ネットワーク４２０に接続可能な状態になった場合に、電気機器１００の運転設定を変更することができる。
【０３６１】
この場合、トンネルを出た後など、通信端末３００が広域通信ネットワーク４２０に接続可能となってから少しの時間が経過した後に、電気機器１００の運転設定を変更させ、電気機器１００の運転設定が変更されたことを、通信端末３００を介して、ユーザにフィードバック通知することができる。
【０３６２】
なお、予約管理部１８０は、運転設定変更時刻を所定時間後の時刻に書き換える処理を、所定の回数繰り返してもよい。また、書き換える処理を繰り返す回数には上限値が設けられていてもよい。
【０３６３】
（実施の形態６）
次に、本開示の実施の形態６にかかる遠隔制御システム１について説明する。
【０３６４】
本開示の実施の形態６にかかる遠隔制御システム１は、本開示の実施の形態１にかかる遠隔制御システム１の予約管理部１８０が行う処理のうち、図１３のステップＳ５２における、遠隔操作フラグが有効に設定されているか否かを判断する処理が異なる。
【０３６５】
図１３のステップＳ５２の判断処理において、予約管理部１８０によって、遠隔操作フラグが有効に設定されており、かつ、運転制御部１１０が運転開始されていないと判断された場合に限り、通信アダプタ５０は、通信端末３００へ疎通確認信号を送信してもよい（ステップＳ５３）。
【０３６６】
ステップＳ５２の判断処理において、予約管理部１８０は、遠隔操作フラグが有効に設定されていない、又は、運転制御部１１０がすでに運転開始されていると判断された場合は、運転制御部１１０に対して運転設定変更指示を出力し、運転制御部１１０は、運転設定変更指示に従って運転設定を変更する。
【０３６７】
すなわち、記憶部１３０に記憶されている運転設定変更時刻になった際に、運転設定変更時刻が操作部１７０によって入力されたものであると判断された場合、又は、運転制御部１１０がすでに運転を開始していた場合、運転制御部１１０は、変更内容に従って運転設定を変更してもよい。また、記憶部１３０に記憶されている運転設定変更時刻になった際に、運転設定変更時刻が通信端末３００から受信されたものであると判断され、かつ、運転制御部１１０が運転を開始していない場合、通信アダプタ５０は、疎通確認信号（問い合わせ情報）を通信端末３００へ送信してもよい。
【０３６８】
本開示の実施の形態６にかかる遠隔制御システム１では、変更内容が、運転開始のような特定の重要な運転設定の変更である場合は、予約管理部１８０は、通信端末３００がフィードバック通知可能な状態である場合に限り、運転設定を変更する。
【０３６９】
他方で、例えば、変更内容が、設定温度又は風向きを変更するだけといった軽微な運転設定の変更である場合は、予約管理部１８０は、通信端末３００がフィードバック通知可能であるか否かにかかわらず、運転設定を変更してもよい。
【０３７０】
これにより、重要な運転設定が変更される場合に限り、ユーザに電気機器１００の運転状況を把握させることができる。
【０３７１】
（実施の形態７）
次に、本開示の実施の形態７にかかる遠隔制御システム１について説明する。
【０３７２】
本開示の実施の形態７にかかる遠隔制御システム１は、本開示の実施の形態１にかかる遠隔制御システム１の予約管理部１８０が行う処理のうち、図１３のステップＳ５２における、遠隔操作フラグが有効に設定されているか否かを判断する処理が異なる。
【０３７３】
図１３のステップＳ５２の判断処理において、予約管理部１８０によって、遠隔操作フラグが有効に設定されており、かつ、運転制御部１１０がすでに運転開始されており、かつ、変更内容が運転の停止であると判断された場合に限り、通信アダプタ５０は、通信端末３００へ疎通確認信号を送信してもよい（ステップＳ５３）。
【０３７４】
ステップＳ５２の判断処理において、予約管理部１８０は、遠隔操作フラグが有効に設定されていない、又は、運転制御部１１０がすでに運転停止されている、又は、変更内容が運転の停止ではないと判断された場合は、運転制御部１１０に対して運転設定変更指示を出力し、運転制御部１１０は、運転設定変更指示に従って運転設定を変更する。
【０３７５】
本開示の実施の形態７にかかる遠隔制御システム１では、変更内容が、運転停止のような特定の重要な運転設定の変更である場合は、通信端末３００がフィードバック通知可能な状態である場合に限り、運転設定を変更する。
【０３７６】
他方で、例えば、変更内容が、設定温度又は風向きを変更するだけといった軽微な運転設定の変更である場合は、予約管理部１８０は、通信端末３００がフィードバック通知可能であるか否かにかかわらず、運転設定を変更してもよい。
【０３７７】
これにより、重要な運転設定が変更される場合に限り、ユーザに電気機器１００の運転状況を把握させることができる。
【０３７８】
なお、本開示の実施の形態にかかる遠隔制御システム１において、電気機器１００の一例として空気調和装置を用いているが、その他の電気機器であってもよい。
【０３７９】
例えば、電気機器１００の一例としては、洗濯乾燥機であってもよい。この場合、動力部１４０は、回転することで中に格納された衣類の洗浄又は脱水を行う洗濯ドラム、衣類を乾燥させる送風機、及び選択ドラムに水を供給する注水機などで構成される。
【０３８０】
電気機器１００の運転設定が変更されると、運転制御部１１０は、動力部１４０が備える洗濯ドラム、送風機及び注水機を連携させて動作させることで、衣類の洗浄又は乾燥を行う。
【０３８１】
また、本開示の各実施の形態にかかる電気機器、クラウドサーバ及び通信端末は、コンピュータ（電子計算機）によって実現してもよい。
【０３８２】
その場合には、コンピュータを電気機器、クラウドサーバ及び通信端末が備える各部として動作させることにより電気機器、クラウドサーバ及び通信端末をコンピュータにて実現させる制御プログラム、及び制御プログラムを記録したコンピュータ読み取り可能な記録媒体も本開示の範疇に入ることは言うまでもない。 
【０３８３】
本開示は上述した各実施の形態に限定されるものではなく、種々の変更が可能であり、異なる実施の形態にそれぞれ開示された技術的手段を適宜組み合わせて得られる実施の形態についても本開示の技術的範囲に含まれる。
【０３８４】
さらに、各実施の形態にそれぞれ開示された技術的手段を組み合わせることにより、新しい技術的特徴を形成することができる。
【産業上の利用可能性】
【０３８５】
本開示にかかる遠隔制御システム、遠隔制御方法、遠隔制御プログラム及び電気機器は、ユーザに通知することなく、電気機器の運転設定が変更されることを防止することができ、電気機器とネットワークを介して通信可能に接続された通信端末により、電気機器を遠隔制御する遠隔制御システム、遠隔制御方法及び遠隔制御プログラム、並びにネットワークを介して通信可能に接続された通信端末により遠隔制御される電気機器として有用である。
【符号の説明】
【０３８６】
１    遠隔制御システム
５０    通信アダプタ
１００    電気機器
１１０    運転制御部
１２０    モード設定部
１３０    記憶部
１４０    動力部
１５０    電源部
１６０    表示部
１７０    操作部
１８０    予約管理部
２００    クラウドサーバ
３００    通信端末
３００Ａ    第１の通信端末
３００Ｂ    第２の通信端末
３１０    制御部
３２０    表示制御部
３２２    フィードバック判定部
３２３    ユーザ認識部
３３０    通信制御部
３４０    状態取得部
３５０    記憶部
３５５    プログラム
３５６    アプリケーションプログラム
３５７    オペレーティングシステム（ＯＳ）
３６０    表示部
３７０    通信部
３８０    操作部
３９０    マイク
３９２    モーションセンサ
３９５    カメラ
３９８    スピーカー
４００    中継局
４１０    ルータ
４２０    広域通信ネットワーク
５００    住居
【図１】
2018201079.tif 000003
【図２】
2018201079.tif 000004
【図３】
2018201079.tif 000005
【図４】
2018201079.tif 000006
【図５】
2018201079.tif 000007
【図６】
2018201079.tif 000008
【図７】
2018201079.tif 000009
【図８】
2018201079.tif 000010
【図９】
2018201079.tif 000011
【図１０】
2018201079.tif 000012
【図１１】
2018201079.tif 000013
【図１２】
2018201079.tif 000014
【図１３】
2018201079.tif 000015
【図１４】
2018201079.tif 000016
【図１５】
2018201079.tif 000017
【図１６】
2018201079.tif 000018
【図１７】
2018201079.tif 000019
【図１８】
2018201079.tif 000020
【図１９】
2018201079.tif 000021
【図２０】
2018201079.tif 000022
【図２１】
2018201079.tif 000023